(57)【要約】【課題】  撮影者が撮影制限を意識しなくとも写真の無断撮影や無断配布を防ぐことが可能な撮影制御システム、撮影制御方法、及びプログラムを提供する。【解決手段】  撮影制御システム１において、貸出受付端末２または写真プリント装置２０は貸し出したカメラ３で撮影した画像をメモリカード３１またはサーバ９から取得するとともにカメラ３での撮影可能条件をタグ４（記録媒体）等から取得する。貸出受付端末２または写真プリント装置２０の制御部２１は、取得した画像から撮影可能条件を満たす画像を抽出して出力する。これにより、撮影可能条件外で撮影された画像は抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。【選択図】図１
2020197786.tif 000002
【特許請求の範囲】
【請求項１】
貸し出したカメラで撮影した画像を取得する画像取得手段と、
前記カメラでの撮影可能条件を取得する条件取得手段と、
前記画像取得手段により取得した画像から前記条件取得手段により取得した撮影可能条件を満たす画像を抽出する画像抽出手段と、
前記画像抽出手段により抽出した画像を出力する出力手段と、
を備えることを特徴とする撮影制御システム。
【請求項２】
前記撮影可能条件は記憶媒体に記憶され、
前記条件取得手段は、前記記憶媒体から前記カメラの撮影可能条件を読み出すことを特徴とする請求項１に記載の撮影制御システム。
【請求項３】
前記撮影可能条件は前記カメラの貸出情報を登録する貸出受付端末の記憶部に記憶され、
前記条件取得手段は、前記記憶部から前記カメラの撮影可能条件を読み出すことを特徴とする請求項１に記載の撮影制御システム。
【請求項４】
前記撮影可能条件は前記カメラの貸出情報を登録する貸出受付端末と通信接続されたサーバに記憶され、
前記条件取得手段は、前記サーバから前記カメラの撮影可能条件を取得することを特徴とする請求項１に記載の撮影制御システム。
【請求項５】
前記画像抽出手段は、前記カメラにより撮影された画像に記録されている付加情報に基づいて該画像が前記撮影可能条件を満たす画像であるか否かを判断することを特徴とする請求項１から請求項４のいずれかに記載の撮影制御システム。
【請求項６】
イベントの開始時刻及び終了時刻を取得するイベント時間取得手段を更に備え、
前記画像抽出手段は、前記カメラにより撮影された画像に記録されている時刻情報と前記イベント時間取得手段により取得したイベントの開始時刻及び終了時刻とに基づいて該画像が撮影可能条件を満たす画像であるか否かを判断することを特徴とする請求項１から請求項４のいずれかに記載の撮影制御システム。
【請求項７】
前記画像抽出手段は、前記カメラにより撮影された画像が前記撮影可能条件を満たす画像であるか否かを画像処理により判断することを特徴とする請求項１から請求項４のいずれかに記載の撮影制御システム。
【請求項８】
前記撮影可能条件を満たさない画像について、出力の条件設定を受け付ける設定手段を更に備えることを特徴とする請求項１から請求項７のいずれかに記載の撮影制御システム。
【請求項９】
貸出用のカメラと前記カメラの貸出情報を登録する貸出受付端末とを備えた撮影制御システムであって、
前記貸出受付端末は、
貸し出したカメラでの撮影可能条件に応じた撮影の可否を示す信号である撮影制御信号を生成し、送信させる撮影可否信号送信制御手段と、
前記カメラで撮影した画像を取得する画像取得手段と、
前記画像取得手段により取得した画像を出力する出力手段と、を備え、
前記カメラは、
前記撮影制御信号を受信する受信手段と、
前記受信部により受信した撮影制御信号に基づいて撮影の可否を制御する撮影制御手段と、
を備えることを特徴とする撮影制御システム。
【請求項１０】
前記撮影可能条件は、時間に関する条件であることを特徴とする請求項１から請求項９のいずれかに記載の撮影制御システム。
【請求項１１】
前記撮影可能条件は、イベントに関する条件であることを特徴とする請求項１から請求項９のいずれかに記載の撮影制御システム。
【請求項１２】
前記撮影可能条件は、場所に関する条件であることを特徴とする請求項１から請求項９のいずれかに記載の撮影制御システム。
【請求項１３】
前記カメラで撮影した画像はメモリカードに保存され、
前記画像取得手段は、前記メモリカードから前記カメラで撮影した画像を取得することを特徴とする請求項１から請求項１２のいずれかに記載の撮影制御システム。
【請求項１４】
前記カメラで撮影した画像は前記カメラに通信接続されたサーバにアップロードされ、
前記画像取得手段は、前記サーバから前記カメラで撮影した画像を取得することを特徴とする請求項１から請求項１２のいずれかに記載の撮影制御システム。
【請求項１５】
前記出力手段は、前記カメラで撮影した画像を写真としてプリント出力することを特徴とする請求項１から請求項１４のいずれかに記載の撮影制御システム。
【請求項１６】
前記出力手段は、前記カメラで撮影した画像を表示することを特徴とする請求項１から請求項１４のいずれかに記載の撮影制御システム。
【請求項１７】
コンピュータが、
貸し出したカメラで撮影した画像を取得するステップと、
前記カメラでの撮影可能条件を取得するステップと、
取得した画像から前記撮影可能条件を満たす画像を抽出するステップと、
抽出した画像を出力するステップと、
を含むことを特徴とする撮影制御方法。
【請求項１８】
貸出用のカメラと前記カメラの貸出情報を登録する貸出受付端末とを備えた撮影制御システムにおける撮影制御方法であって、
前記貸出受付端末が、貸し出したカメラでの撮影可能条件に応じた撮影の可否を示す信号である撮影制御信号を生成し、送信させるステップと、
前記カメラが、前記撮影制御信号を受信するステップと、
前記カメラが、受信した撮影制御信号に基づいて撮影の可否を制御するステップと、
前記貸出受付端末が、前記カメラで撮影した画像を取得するステップと、
前記貸出受付端末が、取得した画像を出力するステップと、
を含むことを特徴とする撮影制御方法。
【請求項１９】
コンピュータを、
貸し出したカメラで撮影した画像を取得する画像取得手段、
前記カメラでの撮影可能条件を取得する条件取得手段、
前記画像取得手段により取得した画像から前記条件取得手段により取得した撮影可能条件を満たす画像を抽出する画像抽出手段、
前記画像抽出手段により抽出した画像を出力する出力手段、
として機能させるためのプログラム。
【請求項２０】
貸出用のカメラと前記カメラの貸出情報を登録する貸出受付端末とを備えた撮影制御システムにおいて、前記貸出受付端末として機能するコンピュータを、
貸し出したカメラでの撮影可能条件に応じた撮影の可否を示す信号である撮影制御信号を生成し、送信させる撮影可否信号送信制御手段、
前記カメラで撮影した画像を取得する画像取得手段、
前記画像取得手段により取得した画像を出力する出力手段、
として機能させるためのプログラム。
【発明の詳細な説明】
【技術分野】
【０００１】
本発明は、撮影制御システム、撮影制御方法、及びプログラムに関し、詳細には、カメラレンタルサービスにおける撮影制御に関する。
【背景技術】
【０００２】
デジタルカメラやスマートフォンが普及し、様々な場所で気軽に写真撮影を楽しむことが可能となっている。ユーザは撮影した写真を個人的に楽しむだけでなく、ＳＮＳに投稿して不特定多数の人々と共有することも簡単にできるようになっている。しかしながら、テーマパークのイベントやコンサート等では出演者やキャラクターの写真撮影に制限を設けることがある。これは、著作権等の問題や運営者側が管理できない写真が広く配布されることへの懸念、或いは撮影の音やフラッシュが邪魔になり観客同士のトラブルになるといった様々な原因が考えられる。撮影の管理は容易でないため、会場内へのカメラの持ち込みが一律に禁止されることがある。
【０００３】
これに対し、観客の中には写真をとって記念にしたり、来場できなかった友人に写真だけでも見せてあげたいという要望を持つ者もいる。そこで、テーマパークや一部のコンサート等では、商用利用を除いて写真撮影は自由、但し、フラッシュを使用した撮影、動画の撮影、録音は禁止というように所定の制限を設けて撮影を許可することがある。また、固定カメラで固定の位置からでのみ撮影を許可する例もある。特許文献１には、イベント会場での撮影等、権利者の求める撮影制限または撮影に関する課金等の機能を備えた撮影機器について記載されている。
【先行技術文献】
【特許文献】
【０００４】
【特許文献１】特開２００４−０７２１７６号公報
【発明の概要】
【発明が解決しようとする課題】
【０００５】
しかしながら、上述したような制限を設けて撮影を許可したとしても、観客が規定を守っているか否かを運営者側が厳密に管理することは難しい。また、固定カメラでの撮影を許可する場合であっても、利用者側からは好きなアングルからの撮影を許可してほしいという要望もある。
【０００６】
本発明は上記の問題に鑑みてなされたものであり、撮影者が撮影制限を意識しなくとも写真の無断撮影や無断配布を防ぐことが可能な撮影制御システム、撮影制御方法、及びプログラムを提供することを目的とする。
【課題を解決するための手段】
【０００７】
前述した課題を解決するための第１の発明は、貸し出したカメラで撮影した画像を取得する画像取得手段と、前記カメラでの撮影可能条件を取得する条件取得手段と、前記画像取得手段により取得した画像から前記条件取得手段により取得した撮影可能条件を満たす画像を抽出する画像抽出手段と、前記画像抽出手段により抽出した画像を出力する出力手段と、を備えることを特徴とする撮影制御システムである。
【０００８】
第１の発明の撮影制御システムによれば、貸し出したカメラで撮影した画像を取得するとともに前記カメラでの撮影可能条件を取得し、取得した画像から前記撮影可能条件を満たす画像を抽出して出力することができる。これにより、撮影可能条件外で撮影された画像は抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。よって、写真の無断撮影や無断配布を防ぐことが可能となる。オペレータが操作するコンピュータ（貸出受付端末）や、無人で写真のプリント注文及び印刷を処理する写真プリント装置を本発明に係る撮影制御システムとして利用できる。
【０００９】
第１の発明の撮影制御システムでは、前記撮影可能条件は記憶媒体に記憶され、前記条件取得手段は、前記記憶媒体から前記カメラの撮影可能条件を読み出すことが望ましい。これにより、撮影可能条件の記録されたタグ（記憶媒体）等をカメラとともに貸し出し、カメラ返却時にタグの内容を読み取ることで、撮影可能条件を取得できる。また、前記撮影可能条件は前記カメラの貸出情報を登録する貸出受付端末の記憶部に記憶され、前記条件取得手段は、前記記憶部から前記カメラの撮影可能条件を読み出すこととしてもよい。この場合は、タグ（記録媒体）を貸し出す必要が無く、紛失の虞を無くすことができる。また、前記撮影可能条件は前記カメラの貸出情報を登録する貸出受付端末と通信接続されたサーバに記憶され、前記条件取得手段は、前記サーバから前記カメラの撮影可能条件を取得することとしてもよい。この場合は、タグ（記録媒体）を貸し出す必要がないだけでなく、サーバと通信接続された例えば写真プリント装置等で撮影可能条件を読み出すこととができる。これにより、写真プリント装置等でも、貸出受付端末と同様に、撮影可能条件を満たす写真だけを撮影画像から抽出して、出力することが可能となる。
【００１０】
また、第１の発明において、前記画像抽出手段は、前記カメラにより撮影された画像に記録されている付加情報に基づいて該画像が前記撮影可能条件を満たす画像であるか否かを判断することが望ましい。例えば、撮影時に画像に記録されるＥｘｉｆ（付加情報）から撮影可能条件を満たす画像であるかが判断できる。
【００１１】
また、イベントの開始時刻及び終了時刻を取得するイベント時間取得手段を更に備え、前記画像抽出手段は、前記カメラにより撮影された画像に記録されている時刻情報と前記イベント時間取得手段により取得したイベントの開始時刻及び終了時刻とに基づいて該画像が撮影可能条件を満たす画像であるか否かを判断することが望ましい。これによりイベント毎に撮影の可／不可を判断することができる。
【００１２】
また、前記画像抽出手段は、前記カメラにより撮影された画像が前記撮影可能条件を満たす画像であるか否かを画像処理により判断することが望ましい。撮影された画像に写っている内容から撮影が許可された画像であるか否かを判断できるため、例えば、撮影可能な時間帯や場所であっても撮影対象以外の撮影を排除でき、悪質な盗撮行為を防ぐことが可能となる。
【００１３】
前記撮影可能条件を満たさない画像について、出力の条件設定を受け付ける設定手段を更に備えることが望ましい。これにより、閲覧のみ可能、または追加課金すれば写真プリント可能というように出力するための条件を柔軟に設定可能となる。
【００１４】
第２の発明は、貸出用のカメラと前記カメラの貸出情報を登録する貸出受付端末とを備えた撮影制御システムであって、前記貸出受付端末は、貸し出したカメラでの撮影可能条件に応じた撮影の可否を示す信号である撮影制御信号を生成し、送信させる撮影可否信号送信制御手段と、前記カメラで撮影した画像を取得する画像取得手段と、前記画像取得手段により取得した画像を出力する出力手段と、を備え、前記カメラは、前記撮影制御信号を受信する受信手段と、前記受信部により受信した撮影制御信号に基づいて撮影の可否を制御する撮影制御手段と、を備えることを特徴とする撮影制御システムである。
【００１５】
第２の発明の撮影制御システムによれば、貸出受付端末が、貸し出したカメラでの撮影可能条件に応じた撮影の可否を示す信号である撮影制御信号を生成して送信させると、カメラは、前記撮影制御信号を受信し、受信した撮影制御信号に基づいて撮影の可否を制御する。貸出受付端末は、カメラで撮影した画像を取得し、取得した画像を出力する。撮影制御信号により貸し出したカメラでの撮影を制御するため、撮影可能条件外での撮影が行われることがない。したがって、イベント等の運営者は、撮影可能条件を必ず満たすようにユーザによる撮影を制御できるため、撮影の管理を効率よく行うことが可能となる。よって、写真の無断撮影や無断配布を防ぐことが可能となる。なお、写真プリント装置が、前記カメラで撮影した画像を取得し、取得した画像を出力してもよい。
【００１６】
第１または第２の発明の撮影制御システムにおいて、撮影可能条件は、時間に関する条件、イベントに関する条件、または場所に関する条件とすることができる。
【００１７】
また、第１または第２の発明の撮影制御システムにおいて、前記カメラで撮影した画像はメモリカードに保存され、前記画像取得手段は、前記メモリカードから前記カメラで撮影した画像を取得することが望ましい。また、前記カメラで撮影した画像は前記カメラに通信接続されたサーバにアップロードされ、前記画像取得手段は、前記サーバから前記カメラで撮影した画像を取得するようにしてもよい。前記貸出受付端末としてオペレータが操作するコンピュータや、無人で写真のプリント注文及び印刷を処理する写真プリント装置を利用して、メモリカードまたはサーバから撮影画像を取得し、撮影可能条件を満たす画像を出力できる。
【００１８】
前記カメラで撮影した画像を写真としてプリント出力することが望ましい。また、前記出力手段は、前記カメラで撮影した画像を表示することが望ましい。
【００１９】
第３の発明は、コンピュータが、貸し出したカメラで撮影した画像を取得するステップと、前記カメラでの撮影可能条件を取得するステップと、取得した画像から前記撮影可能条件を満たす画像を抽出するステップと、抽出した画像を出力するステップと、を含むことを特徴とする撮影制御方法である。
【００２０】
第３の発明の撮影制御方法によれば、オペレータが操作するコンピュータや、無人で写真のプリント注文及び印刷を処理する写真プリント装置は、貸し出したカメラで撮影した画像を取得するとともに前記カメラでの撮影可能条件を取得し、取得した画像から前記撮影可能条件を満たす画像を抽出して出力することができる。これにより、撮影可能条件外で撮影された画像は抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。よって、写真の無断撮影や無断配布を防ぐことが可能となる。
【００２１】
第４の発明は、貸出用のカメラと前記カメラの貸出情報を登録する貸出受付端末とを備えた撮影制御システムにおける撮影制御方法であって、前記貸出受付端末が、貸し出したカメラでの撮影可能条件に応じた撮影の可否を示す信号である撮影制御信号を生成し、送信させるステップと、前記カメラが、前記撮影制御信号を受信するステップと、前記カメラが、受信した撮影制御信号に基づいて撮影の可否を制御するステップと、前記貸出受付端末が、前記カメラで撮影した画像を取得するステップと、前記貸出受付端末が、取得した画像を出力するステップと、を含むことを特徴とする撮影制御方法である。
【００２２】
第４の発明の撮影制御方法によれば、貸出受付端末が、貸し出したカメラでの撮影可能条件に応じた撮影の可否を示す信号である撮影制御信号を生成して送信させると、カメラは、前記撮影制御信号を受信し、受信した撮影制御信号に基づいて撮影の可否を制御する。貸出受付端末は、カメラで撮影した画像を取得し、取得した画像を出力する。撮影制御信号により貸し出したカメラでの撮影を制御するため、撮影可能条件外での撮影が行われることがない。したがって、イベント等の運営者は、撮影可能条件を必ず満たすようにユーザによる撮影を制御できるため、撮影の管理を効率よく行うことが可能となる。よって、写真の無断撮影や無断配布を防ぐことが可能となる。なお、写真プリント装置が、前記カメラで撮影した画像を取得し、取得した画像を出力してもよい。
【００２３】
第５の発明は、コンピュータを、貸し出したカメラで撮影した画像を取得する画像取得手段、前記カメラでの撮影可能条件を取得する条件取得手段、前記画像取得手段により取得した画像から前記条件取得手段により取得した撮影可能条件を満たす画像を抽出する画像抽出手段、前記画像抽出手段により抽出した画像を出力する出力手段、として機能させるためのプログラムである。
【００２４】
第５の発明により、コンピュータを第１の発明の撮影制御システムとして機能させることが可能となる。
【００２５】
第６の発明は、貸出用のカメラと前記カメラの貸出情報を登録する貸出受付端末とを備えた撮影制御システムにおいて、前記貸出受付端末として機能するコンピュータを、貸し出したカメラでの撮影可能条件に応じた撮影の可否を示す信号である撮影制御信号を生成し、送信させる撮影可否信号送信制御手段、前記カメラで撮影した画像を取得する画像取得手段、前記画像取得手段により取得した画像を出力する出力手段、として機能させるためのプログラムである。
【００２６】
第６の発明により、コンピュータを第２の発明の貸出受付端末として機能させることが可能となる。
【発明の効果】
【００２７】
本発明により、撮影者が撮影制限を意識しなくとも写真の無断撮影や無断配布を防ぐことが可能な撮影制御システム、撮影制御方法、及びプログラムを提供することが可能となる。
【図面の簡単な説明】
【００２８】
【図１】第１の実施の形態の撮影制御システム１の全体構成を示す図
【図２】第１の実施の形態における貸出受付端末２のハードウェア構成を示す図
【図３】第１の実施の形態における貸出受付端末２の機能構成を示す図
【図４】貸出受付端末２が実行する貸出処理の流れを示すフローチャート
【図５】撮影処理の流れを示すフローチャート
【図６】カメラ返却時に貸出受付端末２が実行する処理の流れを示す図
【図７】第２の実施の形態の撮影制御システム１Ａの全体構成を示す図
【図８】サーバ９として機能するコンピュータのハードウェア構成を示す図
【図９】第２の実施の形態の貸出受付端末２の機能構成を示す図
【図１０】第２の実施の形態における撮影処理の流れを示すフローチャート
【図１１】カメラ返却時に貸出受付端末２及びサーバ９が実行する処理の流れを示す図
【図１２】第３の実施の形態の撮影制御システム１Ｂの全体構成を示す図
【図１３】写真プリント装置２０のハードウェア構成を示す図
【図１４】第３の実施の形態の写真プリント装置２０の機能構成を示す図
【図１５】第４の実施の形態の撮影制御システム１Ｃの全体構成を示す図
【図１６】第４の実施の形態の写真プリント装置２０の機能構成を示す図
【図１７】第５の実施の形態の撮影制御システム１Ｄの全体構成を示す図
【図１８】第５の実施の形態における貸出受付端末２Ｂのハードウェア構成を示す図
【図１９】第５の実施の形態における貸出受付端末２Ｂの機能構成を示す図
【図２０】第５の実施の形態において貸出受付端末２Ｂが実行する貸出処理の流れを示すフローチャート
【図２１】第５の実施の形態においてカメラ返却時に貸出受付端末２Ｂが実行する処理の流れを示す図
【図２２】第６の実施の形態の撮影制御システム１Ｅの全体構成を示す図
【図２３】第６の実施の形態における貸出受付端末２Ｂの機能構成を示す図
【図２４】第６の実施の形態においてカメラ返却時に貸出受付端末２Ｂ及びサーバ９が実行する処理の流れを示す図
【図２５】第７の実施の形態の撮影制御システム１Ｆの全体構成を示す図
【図２６】第７の実施の形態における写真プリント装置２０Ａのハードウェア構成を示す図
【図２７】第７の実施の形態における写真プリント装置２０Ａの機能構成を示す図
【図２８】第７の実施の形態においてカメラ貸出時に貸出受付端末２Ｂ、サーバ９、及び写真プリント装置２０Ａが実行する処理の流れを示す図
【図２９】第７の実施の形態においてカメラ返却時に写真プリント装置２０Ａが実行する処理の流れを示す図
【図３０】第８の実施の形態の撮影制御システム１Ｇの全体構成を示す図
【図３１】第８の実施の形態における写真プリント装置２０Ａの機能構成を示す図
【図３２】第８の実施の形態においてカメラ返却時に写真プリント装置２０Ａ及びサーバ９が実行する処理の流れを示す図
【図３３】第９の実施の形態の撮影制御システム１Ｈの全体構成を示す図
【図３４】第９の実施の形態における撮影制御システム１Ｈのカメラ３及び貸出受付端末２Ｃの機能構成を示す図
【図３５】第９の実施の形態において貸出受付端末２Ｂが実行する処理の流れを示す図
【図３６】第９の実施の形態においてカメラ３が実行する処理の流れを示す図
【図３７】第９の実施の形態においてカメラ返却時に貸出受付端末２Ｃ（または第１０の実施の形態の写真プリント装置２０Ｂ）が実行する処理の流れを示す図
【図３８】第１０の実施の形態の撮影制御システム１Ｊの全体構成を示す図
【図３９】第１０の実施の形態における撮影制御システム１Ｊのカメラ３、貸出受付端末２Ｄ、及び写真プリント装置２０Ｂの機能構成を示す図
【発明を実施するための形態】
【００２９】
以下、図面に基づいて本発明の好適な実施形態について詳細に説明する。
【００３０】
［第１の実施の形態］
まず本発明の第１の実施の形態について説明する。
図１は第１の実施の形態に係る撮影制御システム１の全体構成を示す図である。図１に示すように、第１の実施の形態の撮影制御システム１は、貸出受付端末２及び貸出用のカメラ３を備えて構成される。貸出受付端末２には、モニタ５、読取装置６、及びプリンタ７等の周辺機器が接続される。また、カメラ３は撮影画像を記憶するメモリカード３１や貸出用のタグ（記憶媒体）４等の付属品とともに貸し出されるものとする。
【００３１】
貸出受付端末２は、カメラ３の貸出処理や撮影画像の出力処理を行うために使用されるコンピュータである。図２は、貸出受付端末２として用いるコンピュータの構成を示す図である。図２に示すように、貸出受付端末２は、例えば制御部２１、記憶部２２、通信部２３、入力部２４、表示部２５、及び周辺機器Ｉ／Ｆ（インターフェース）部２６等をバス２７により接続して構成したコンピュータにより実現できる。但し、貸出受付端末２の構成はこれに限ることなく、適宜様々な構成をとることができる。
【００３２】
制御部２１は、ＣＰＵ（Central Processing Unit）、ＲＯＭ（Read Only Memory）、ＲＡＭ（Random Access Memory）等により構成される。ＣＰＵは、記憶部２２、ＲＯＭ、記録媒体等に格納されるプログラムをＲＡＭ上のワークメモリ領域に呼び出して実行し、バス２７を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部２１が各種処理を行うために使用するワークエリアを備える。制御部２１は、上記プログラムを読み出して実行することにより、貸出受付端末２の各手段として機能する。
【００３３】
記憶部２２は、例えば、ハードディスクドライブやソリッドステートドライブ、フラッシュメモリ等の記憶装置である。記憶部２２には制御部２１が実行するプログラムや、プログラム実行に必要なデータ、オペレーティングシステム等が格納されている。これらのプログラムコードは、制御部２１により必要に応じて読み出されてＲＡＭに移され、ＣＰＵに読み出されて実行される。また、記憶部２２には、カメラ３の貸出処理においてオペレータにより登録される貸出情報（撮影可能条件）等が記憶される。貸出情報（撮影可能条件）の詳細については後述する。
【００３４】
通信部２３は、通信制御装置、通信ポート等を有し、ネットワーク等との通信を制御する。貸出受付端末２はネットワークを介してカメラ３、サーバ９、及び写真プリント装置２０（図７、図１５参照）等と通信接続し、各種のデータを送受信可能である。
【００３５】
入力部２４は、例えば、タッチパネル、キーボード、マウス等のポインティング・デバイス、テンキー等の入力装置であり、入力されたデータを制御部２１へ出力する。
【００３６】
表示部２５は、例えば液晶パネル等のディスプレイ装置と、ディスプレイ装置と連携して表示処理を実行するための論理回路（ビデオアダプタ等）で構成され、制御部２１の制御により入力された表示情報をディスプレイ装置上に表示させる。なお、入力部２４及び表示部２５は、表示画面にタッチパネル等の入力装置を一体的に設けたタッチパネルディスプレイとしてもよい。
【００３７】
周辺機器Ｉ／Ｆ部２６は、周辺機器を接続させるためのポートであり、周辺機器Ｉ／Ｆ部２６を介して周辺機器とのデータの送受信を行う。周辺機器との接続形態は有線、無線を問わない。貸出受付端末２は、周辺機器Ｉ／Ｆ部２６を介してモニタ５、読取装置６、及びプリンタ７を接続する。
【００３８】
モニタ５は、カメラ３により撮影された画像を表示する表示装置であり、タッチパネルディスプレイ等が用いられる。カメラ３により撮影された画像はメモリカード３１に記憶され、カメラ３の返却時に貸出受付端末２でメモリカード３１から読み出され、モニタ５に出力される。ユーザはモニタ５に表示された画像を確認して、どの写真をプリントするか、何枚プリントするかといった注文処理を行う。
【００３９】
読取装置６は、貸出受付端末２の制御部２１からの制御信号に従い、タグ４との間で情報の読取り及び書込みを行う装置である。タグ４は、カメラ３を貸し出す際にカメラ３とともに貸し出すものであり、貸出情報（撮影可能条件やカメラＩＤ等）が記憶された記憶媒体である。例えば、ＩＣタグやＩＣカード、またはメモリカードやＵＳＢメモリ等を利用できる。読取装置６は、タグ４に対応する読取装置であり、例えばＩＣカードリーダ／ライタを用いる。また、タグ４としてメモリカードやＵＳＢメモリを用いる場合は、読取装置６は貸出受付端末２のメモリカードスロットやＵＳＢポート等を利用する。また、タグ４は紙媒体を用いることができる。この場合、紙媒体（タグ４）にはＱＲコード（登録商標）等の２次元コードやバーコード等の１次元コード、或いはカラーコード等がプリンタ７等により印刷される。紙媒体のタグ４の場合、読取装置６は光学的にコードを読取る装置であり、バーコードリーダやカメラ等が用いられる。
【００４０】
プリンタ７は、カメラ３により撮影された画像を写真８としてプリントする装置である。プリンタ７は貸出受付端末２の制御部２１から入力される制御信号に従って、画像データを所定の用紙に印刷する。プリンタ７は高解像度カラープリンタであり、昇華型、溶融型等、プリンタの方式は問わない。
【００４１】
バス２７は、各装置間の制御信号、データ信号等の授受を媒介する経路である。
【００４２】
カメラ３は、ユーザに貸し出されるデジタルカメラであり、例えばＣＣＤ（Charge Coupled Device）イメージセンサやＣＭＯＳ（Complementary Metal Oxide Semiconductor）イメージセンサなどの撮像素子を用いたカメラである。カメラ３により撮影された画像は、カメラ３に付属して貸し出されるメモリカード３１に記憶される。或いは、カメラ３の通信機能を利用してカメラ３により撮影された画像をネットワーク１０を介してサーバ９にアップロードし、サーバ９の画像データベース等に記憶してもよい（図７、図１５参照）。
【００４３】
次に、図３を参照して撮影制御システム１における貸出受付端末２の機能構成について説明する。
貸出受付端末２は、画像取得部２１１、条件取得部２１２、画像抽出部２１３、及び出力部２１４を備える。
画像取得部２１１は、カメラ３で撮影した画像を取得する。第１の実施の形態では、カメラ３で撮影した画像はメモリカード３１に記憶されるものとする。画像取得部２１１は、メモリカード３１からカメラ３で撮影した画像を取得する。
【００４４】
条件取得部２１２は、貸し出したカメラ３での撮影可能条件を取得する。第１の実施の形態では、上記撮影可能条件はタグ４に記憶されているものとし、条件取得部２１２は、タグ４からカメラ３の撮影可能条件を読み出す。または、撮影可能条件が貸出受付端末２の記憶部２２に記憶されているものとしてもよい。その場合、条件取得部２１２は、貸出受付端末２の記憶部２２からカメラ３の撮影可能条件を読み出す。条件取得部２１２が撮影可能条件を取得するタイミングは、例えば、ユーザがカメラ３を返却する際とする。
【００４５】
なお、撮影可能条件は、時間に関する条件、イベントに関する条件、または場所に関する条件を含む。また、これらを組み合わせた条件とすることができる。
【００４６】
画像抽出部２１３は、画像取得部２１１により取得した画像から条件取得部２１２により取得した撮影可能条件を満たす画像を抽出する。画像を抽出する方法としては、例えば、カメラ３により撮影された画像に記録されている付加情報（Ｅｘｉｆ等）に基づいて該画像が撮影可能条件を満たす画像であるか否かを判断する。具体的には、例えば、撮影可能条件として撮影可能な時間帯（時間に関する条件）が設定されている場合は、画像抽出部２１３は、カメラ３により撮影された画像に記録されている付加情報のうち撮影時刻情報を参照して、撮影可能な時間帯に撮影された画像であるか否かを判断する。また、撮影可能条件としてイベント毎の撮影可・不可が設定されている場合（イベントに関する条件）は、画像抽出部２１３は、イベントの開始時刻及び終了時刻の情報をイベント管理者またはイベント管理端末（不図示）等から取得し、画像に記録されている撮影時刻情報がイベントの開始時刻から終了時刻までの間であるか否かを判定することにより撮影可能条件を満たす画像を抽出する。また、撮影可能条件としてイベント毎の撮影可・不可が設定されている場合は、画像抽出部２１３は、カメラ３により撮影された画像が撮影可能条件を満たす画像であるか否かを画像処理により判断するものとしてもよい。例えば、撮影画像に写っているイベントの出演者や出演キャラクター、イベント会場のセット等から当該イベントを撮影したものであるか否かを判断できる。撮影可能条件として場所に関する条件が設定されている場合は、画像に記録されている付加情報のうち緯度情報や経度情報等を参照して、撮影場所を判断したり、或いは、画像に写っている対象を画像処理により判断することで、画像が許可された場所で撮影したものであるか、または許可された場所（対象）を撮影したものであるか判断できる。
【００４７】
出力部２１４は、画像抽出部２１３により抽出した画像を出力する。出力形態は、例えば、表示部２５やモニタ５への表示やプリンタ７から写真として印刷すること等が含まれる。
【００４８】
次に、図４〜図６を参照して本発明の第１の実施の形態における処理の流れを説明する。貸出受付端末２の制御部２１は、ＲＯＭまたは記憶部２２に記憶されているプログラムを読み出して実行することにより、以下に示す各処理を実現する。
【００４９】
まず、カメラ３をユーザに貸し出す際に実行する貸出処理について図４を参照して説明する。
ユーザが貸出受付端末２のオペレータにカメラ３の貸し出しを申し込む（ステップＳ１０１）。貸し出しの申し込みは、カメラ３を貸出す直前に行われるものとしてもよいし、事前にインターネットや電話等を介して申し込みの予約が行われるものとしてもよい。
【００５０】
貸し出しの申し込みが行われると、オペレータは、貸出受付端末２を用いてユーザの登録処理を行うとともに、撮影可能条件を含む貸出情報をタグ４に記録する（ステップＳ１０２）。タグ４への貸出情報の記録は、読取装置６（リーダ／ライタ）またはプリンタ７により行われる。ユーザの登録処理では、例えば、ユーザの氏名、生年月日、住所や電話番号等の連絡先等の登録、及びユーザＩＤの発行等が行われる。また、タグ４に記録される貸出情報には、ユーザが希望する撮影時間帯、イベント、または場所等の条件、或いは撮影不可とする時間帯、イベント、または場所等の条件が記録される他、ユーザＩＤ、貸出日、貸し出すカメラ３の識別情報（カメラＩＤ）等も含まれる。貸出情報として、例えば、カメラＩＤ「１２３４」、撮影可能条件「撮影可能時間：１４：００〜１５：００」、ユーザＩＤ「ｕ０００５４３」等がタグ４に記憶される。
【００５１】
ユーザにカメラ３を貸し出す際、オペレータは貸出処理を行う（ステップＳ１０３）。貸出処理では、ユーザの本人確認や貸し出すカメラ３のカメラＩＤの確認、撮影可能条件と返却日時の確認等をオペレータがユーザとともに行う。その後、オペレータは、カメラ３、貸出情報が書き込まれたタグ４、及びカメラ３のメモリカード３１をユーザに貸し出す。なお、ユーザが自分のカメラを持参している場合は受付でユーザのカメラを預かるか、ユーザのカメラで撮影が行われないように対策を施すものとする。
【００５２】
次に、図５のフローチャートに示す撮影処理について説明する。
ユーザは、借りたカメラ３を用いて撮影を行うことができる（図５のステップＳ２０１）。例えば、撮影可能条件として「撮影可能時間：１４：００〜１５：００」が設定されている場合でもその時間帯以外に撮影が行われてしまってもよい。第１の実施の形態では、カメラ３は撮影画像をメモリカード３１に保存する（ステップＳ２０２）。
【００５３】
次に、図６を参照してカメラ返却時の処理について説明する。ユーザがカメラ３、メモリカード３１、及びタグ４を返却すると（ステップＳ３０１）、オペレータは、貸出受付端末２の読取装置６を用いてタグ４に記録されている貸出情報を読み取る（ステップＳ３０２）。貸出受付端末２の制御部２１（条件取得部１１２）は読み取った貸出情報から撮影可能条件を取得する（ステップＳ３０３）。ステップＳ３０３において、オペレータの確認用として、制御部２１は読み取った貸出情報を表示部２５に表示してもよい。
【００５４】
次に、オペレータが貸出受付端末２のメモリカードスロットにメモリカードを挿入すると、貸出受付端末２の制御部２１（画像取得部２１１）はメモリカード３１から撮影画像を取得する（ステップＳ３０４）。制御部２１（画像抽出部２１３）は、ステップＳ３０４で取得した撮影画像からステップＳ３０３で取得した撮影可能条件を満たす画像を抽出する（ステップＳ３０５）。
【００５５】
ステップＳ３０５において、例えば、撮影可能条件として撮影可能な時間帯（時間に関する条件）が設定されている場合は、貸出受付端末２の制御部２１（画像抽出部２１３）は、撮影画像に記録されている付加情報（Ｅｘｉｆ）のうち撮影時刻情報を参照して、撮影可能な時間帯に撮影された画像であるか否かを判断する。また、撮影可能条件としてイベント毎の撮影可・不可が設定されている場合（イベントに関する条件）は、貸出受付端末２の制御部２１（画像抽出部２１３）は、イベントの開始時刻及び終了時刻の情報をイベント管理者またはイベント管理端末（不図示）等から取得し、撮影画像に記録されている時刻情報（Ｅｘｉｆ）がイベントの撮影開始時刻から終了時刻までの間であるか否かを判定することにより撮影可能条件を満たすか否かを判断する。また、撮影可能条件としてイベント毎の撮影可・不可が設定されている場合は、貸出受付端末２の制御部２１（画像抽出部２１３）は、撮影画像について画像の解析処理を行い、例えば、撮影画像に写っているイベントの出演者や出演キャラクター、イベント会場のセット等から当該イベントを撮影したものであるか否かを判定することにより、撮影可能条件を満たすか否かを判断してもよい。また、撮影可能条件として場所に関する条件が設定されている場合は、貸出受付端末２の制御部２１（画像抽出部２１３）は、画像に写っている対象を画像解析処理により判断することで、画像が許可された場所で撮影されたものであるか、または許可された場所を撮影したものであるか否かを判断できる。或いは、貸出受付端末２の制御部２１（画像抽出部２１３）は、撮影画像に記録されている緯度情報及び経度情報（Ｅｘｉｆ）等から撮影場所が撮影可能条件を満たすか否かを判断してもよい。
【００５６】
ステップＳ３０５の処理を行うことにより、ステップＳ３０４で取得した撮影画像のうち撮影可能条件を満たさずに撮影された画像は抽出されないこととなる。
【００５７】
貸出受付端末２の制御部２１（出力部２１４）は、ステップＳ３０５で抽出した画像を表示部２５に表示するとともに、モニタ５に表示する（ステップＳ３０６）。ユーザはモニタ５に表示された画像を確認して、写真プリントの申し込みを行う。オペレータは、ユーザから申し込まれた注文に応じて画像をプリンタ７に送信し、必要な枚数だけプリントアウトする（ステップＳ３０７）。なお、写真プリントの申し込み及びプリントアウトは、オペレータの操作ではなく、ユーザによる注文操作を受け付けて行うものとしてもよい。例えば、モニタ５としてタッチパネル式のモニタを用い、抽出画像を表示する。このとき、モニタ５はプリントする画像や画像枚数の入力を受け付ける。ユーザの操作により画像が選択されプリント指示が入力されると、モニタ５から入力されたプリント指示が貸出受付端末２の制御部２１に入力される。制御部２１は、プリンタ７に対して写真のプリント指示を送り写真をプリントさせる。
【００５８】
以上の処理により、撮影可能条件を満たさずに撮影された画像はステップＳ３０５の処理により抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。なお、撮影可能条件を満たさずに撮影された画像については、例えば、透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。
【００５９】
［第２の実施の形態］
次に、本発明の第２の実施の形態について説明する。
図７は第２の実施の形態に係る撮影制御システム１Ａの全体構成を示す図である。図７に示すように、第２の実施の形態の撮影制御システム１Ａは、貸出受付端末２、貸出用のカメラ３、及びサーバ９等がネットワーク１０を介して通信接続されて構成される。貸出受付端末２には、モニタ５、読取装置６、及びプリンタ７等の周辺機器が接続される。また、カメラ３は貸出用のタグ（記憶媒体）４等の付属品とともに貸し出されるものとする。第１の実施の形態との違いは、カメラ３で撮影された画像はメモリカード３１ではなくサーバ９に送信されてサーバ９の画像データベース（サーバ９の記憶部９２またはサーバ９からアクセス可能な大容量記憶装置等）に記憶されることである。
【００６０】
貸出受付端末２、カメラ３、タグ４、モニタ５、読取装置６、プリンタ７の構成は第１の実施の形態の貸出受付端末２、カメラ３、タグ４、モニタ５、読取装置６、プリンタ７と同様であるので、重複する説明を省略する。
【００６１】
サーバ９の構成を図８に示す。図８に示すように、サーバ９は、制御部９１、記憶部９２、通信部９３、入力部９４、及び表示部９５等をバス９６により接続して構成したコンピュータにより実現できる。但し、サーバ９の構成はこれに限ることなく、適宜様々な構成をとることができる。
【００６２】
サーバ９の制御部９１、記憶部９２、通信部９３、入力部９４、及び表示部９５の構成は、貸出受付端末２の制御部２１、記憶部２２、通信部２３、入力部２４、表示部２５の構成と同様であるため重複する説明を省略する。サーバの制御部９１は、ＣＰＵ、ＲＯＭ、ＲＡＭ等により構成される。ＣＰＵは、記憶部９２、ＲＯＭ、記録媒体等に格納されるプログラムをＲＡＭ上のワークメモリ領域に呼び出して実行し、バス９６を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部９１が各種処理を行うために使用するワークエリアを備える。制御部９１は、上記プログラムを読み出して実行することにより、サーバ９の各手段として機能する。
【００６３】
ネットワーク１０は、ＬＡＮ（Local Area Network）や、より広域に通信接続されたＷＡＮ（Wide Area Network）、またはインターネット等の公衆の通信回線、基地局等を含む。ネットワーク１０は有線、無線を問わない。
【００６４】
次に、図９を参照して第２の実施の形態の撮影制御システム１Ａにおける貸出受付端末２の機能構成について説明する。
貸出受付端末２は、画像取得部２１１、条件取得部２１２、画像抽出部２１３、及び出力部２１４を備える。第１の実施の形態の貸出受付端末２の機能構成（図３）との違いは、画像取得部２１１がサーバ９からカメラ３で撮影した画像を取得する点である。第２の実施の形態では、カメラ３で撮影した画像はカメラ３の通信機能によりサーバ９に送信され、サーバ９の画像データベース（サーバ９の記憶部９２やサーバ９からアクセス可能な大容量記憶装置等）に記憶される。画像取得部２１１は、ネットワーク１０を介してサーバ９にアクセスし、サーバ９からカメラ３で撮影した画像を取得（ダウンロード）する。
【００６５】
条件取得部２１２、画像抽出部２１３、及び出力部２１４については第１の実施の形態の条件取得部２１２、画像抽出部２１３、及び出力部２１４と同様である。
【００６６】
次に、図１０、図１１を参照して本発明の第２の実施の形態における処理の流れを説明する。貸出受付端末２の制御部２１及びサーバ９の制御部９１は、ＲＯＭまたは記憶部２２、９２に記憶されているプログラムを読み出して実行することにより、以下に示す各処理を実現する。
【００６７】
カメラ３をユーザに貸し出す際に貸出受付端末２が実行する貸出処理については、第１の実施の形態（図４）と同様であるため、説明を省略する。
【００６８】
次に、図１０に示す撮影画像のアップロード処理について説明する。
ユーザは、借りたカメラ３を用いて撮影を行うことができる（図１０のステップＳ４０１）。例えば、撮影可能条件として「撮影可能時間：１４：００〜１５：００」が設定されている場合でもその時間帯以外に撮影が行われてしまってもよい。第２の実施の形態では、カメラ３は撮影画像をカメラＩＤとともにサーバ９に送信する（ステップＳ４０２）。
【００６９】
サーバ９は、カメラ３から撮影画像及びカメラＩＤを受信すると（ステップＳ４０３）、受信した撮影画像をカメラＩＤと紐づけて画像データベース（サーバ９の記憶部９２またはサーバ９からアクセス可能な大容量記憶装置等）に記憶する（ステップＳ４０４）。
【００７０】
次に、図１１を参照して第２の実施の形態のカメラ返却時の処理について説明する。
第２の実施の形態では、ユーザがカメラ３及びタグ４を返却すると（ステップＳ５０１）、オペレータは、貸出受付端末２の読取装置６を用いてタグ４に記録されている貸出情報を読み取る（ステップＳ５０２）。貸出受付端末２の制御部２１（条件取得部１１２）は読み取った貸出情報から撮影可能条件を取得する（ステップＳ５０３）。ステップＳ５０３において、オペレータの確認用として、制御部２１は読み取った貸出情報を表示部２５に表示するようにしてもよい。
【００７１】
次に、貸出受付端末２の制御部２１（画像取得部２１１）は、当該カメラ３で撮影した画像の取得（ダウンロード）をサーバ９に要求する（ステップＳ５０４）。ステップＳ５０４では、貸出受付端末２の制御部２１は、カメラ３のカメラＩＤとともに撮影画像のダウンロード要求を送信する。
【００７２】
サーバ９は、貸出受付端末２から画像のダウンロード要求を受信すると、該当する撮影画像を画像データベース（サーバ９の記憶部９２またはサーバ９からアクセス可能な大容量記憶装置等）から読み出し、要求元の貸出受付端末２に送信する（ステップＳ５０５）。貸出受付端末２はサーバ９から撮影画像を受信する（ステップＳ５０６）。
【００７３】
次に、貸出受付端末２の制御部２１（画像抽出部２１３）は、ステップＳ５０６で受信した撮影画像からステップＳ５０３で取得した撮影可能条件を満たす画像を抽出する（ステップＳ５０７）。ステップＳ５０７の処理は、第１の実施の形態のステップＳ３０５と同様に、撮影画像の付加情報や画像解析処理等により撮影画像が撮影可能条件を満たしているか否かを判断する。
【００７４】
その後、貸出受付端末２の制御部２１（出力部２１４）は、ステップＳ５０７で抽出した画像を表示部２５に表示するとともにモニタ５に表示する（ステップＳ５０８）。ユーザはモニタ５に表示された画像を確認して、写真プリントの申し込みを行う。オペレータは、ユーザから申し込まれた注文に応じて画像をプリンタ７に送信し、必要な枚数だけプリントアウトする（ステップＳ５０９）。ステップＳ５０８、ステップＳ５０９の処理は、第１の実施の形態のステップＳ３０６、ステップＳ３０７と同様である。
【００７５】
以上の処理により、第２の実施の形態の撮影制御システム１Ａでは、第１の実施の形態と同様に、撮影可能条件を満たさずに撮影された画像はステップＳ５０７の処理により抽出されず、出力されないこととなる。第２の実施の形態では、カメラ３で撮影された画像はサーバ９に画像が保存されるため、メモリカード３１を使用せず紛失のおそれが無い。なお、撮影可能条件を満たさずに撮影された画像については、第１の実施の形態と同様に、例えば透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。
【００７６】
［第３の実施の形態］
次に、本発明の第３の実施の形態について説明する。
図１２は第３の実施の形態に係る撮影制御システム１Ｂの構成を示しており、画像の出力処理を行う撮影制御システム１Ｂを示している。図１２に示すように、第３の実施の形態の撮影制御システム１Ｂでは、画像を出力する際、オペレータが存在する貸出受付端末２を利用せず、ユーザが写真プリント装置２０を操作して、写真８の出力を行う。なお、カメラ貸出時には、第１の実施の形態と同様に、貸出受付端末２でカメラ３、メモリカード３１、タグ４の貸出が行われているものとする（図４）。また、カメラで撮影された画像も第１の実施の形態と同様に、メモリカード３１に保存されるものとする（図５）。
【００７７】
写真プリント装置２０は、写真等の注文入力及び印刷を行う装置である。
写真プリント装置２０は、メモリカードスロットを有し、メモリカード３１から画像を取得し、取得した画像の注文画面をタッチパネル式の表示部２５に表示し、ユーザの操作による写真８の注文を受け付ける。写真プリント装置２０は、ユーザの操作による注文内容に従って写真８の印刷を行い、印刷物取出し口から排出する。
【００７８】
写真プリント装置２０の構成を図１３に示す。図１３に示すように、写真プリント装置２０は、制御部２１、記憶部２２、通信部２３、入力部２４、表示部２５、周辺機器Ｉ／Ｆ部２６、課金部２８、及びプリンタ７等をバス２７により接続して構成される。周辺機器Ｉ／Ｆ部２６には読取装置６が接続される。但し、写真プリント装置２０の構成はこれに限ることなく、適宜様々な構成をとることができる。入力部２４のタッチパネルは、表示部及び入力部を兼ねたタッチパネル付ディスプレイ等により実現される。タッチパネルの表示部は、ユーザの操作・選択に係る各種の画面を表示し、画面上のタッチ操作によるユーザの指示入力等を受付ける。
【００７９】
写真プリント装置２０の制御部２１、記憶部２２、通信部２３、入力部２４、表示部２５、及び周辺機器Ｉ／Ｆ部２６の構成は、図２に示す貸出受付端末２の制御部２１、記憶部２２、通信部２３、入力部２４、表示部２５、及び周辺機器Ｉ／Ｆ部２６の構成と同様であるため重複する説明を省略する。
【００８０】
読取装置６は、第１及び第２の実施の形態の貸出受付端末２に接続される読取装置６と同様に、写真プリント装置２０の制御部２１からの制御信号に従い、タグ４との間で情報の読取り及び書込みを行う装置である。タグ４は、第１及び第２の実施の形態と同様に、カメラ３を貸し出す際にカメラ３とともに貸し出すものであり、貸出情報（撮影可能条件やカメラＩＤ等）が記憶された記憶媒体である。例えば、ＩＣタグやＩＣカード、またはメモリカードやＵＳＢメモリ等を利用できる。読取装置６は、タグ４に対応する読取装置であり、ＩＣカードリーダ／ライタを用いる。また、タグ４としてメモリカードやＵＳＢメモリを用いる場合は、読取装置６は貸出受付端末２のメモリカードスロットやＵＳＢポート等を利用する。また、タグ４は紙媒体を用いることができる。この場合、紙媒体（タグ４）にはＱＲコード（登録商標）等の２次元コードやバーコード等の１次元コード、或いはカラーコード等がプリンタ７等により印刷される。紙媒体の場合、読取装置６は、光学的にコードを読取る装置であり、バーコードリーダやカメラ等が用いられる。
【００８１】
課金部２８は、硬貨や紙幣の入金口やつり銭の返金口等を供えたコインメックやプリペイドカードや電子マネーでの決済処理を行う電子マネー処理部を含む。コインメックは、入金口から入金された金額に関する情報を制御部２１に出力し、制御部２１から入力される制御信号に従って、つり銭額に応じた硬貨、紙幣を返金口に排出する。
【００８２】
プリンタ７は、制御部２１から入力される制御信号に従って、画像データを所定の用紙に写真８を印刷する。プリンタ７は高解像度カラープリンタであり、昇華型、溶融型等、プリンタの方式は問わない。
【００８３】
次に、図１４を参照して第３の実施の形態の撮影制御システム１Ｂにおける写真プリント装置２０の機能構成について説明する。
写真プリント装置２０は、画像取得部２１１、条件取得部２１２、画像抽出部２１３、及び出力部２１４等を備える。
【００８４】
画像取得部２１１は、第１の実施の形態の貸出受付端末２の画像取得部２１１と同様に、カメラ３で撮影した画像を取得する。第３の実施の形態では、カメラ３で撮影した画像はメモリカード３１に記憶されるものとする。画像取得部２１１は、メモリカード３１からカメラ３で撮影した画像を取得する。
【００８５】
条件取得部２１２は、貸し出したカメラ３での撮影可能条件を取得する。第３の実施の形態では、第１及び第２の実施の形態と同様に、上記撮影可能条件はタグ４に記憶されているものとし、条件取得部２１２は、タグ４からカメラ３の撮影可能条件を読み出す。第３の実施の形態では、カメラ返却後にユーザがタグ４を写真プリント装置２０の読取装置６にかざすことにより、写真プリント装置２０の条件取得部２１２が撮影可能条件を取得する。
【００８６】
なお、撮影可能条件は、第１及び第２の実施の形態と同様に、時間に関する条件、イベントに関する条件、または場所に関する条件等を含む。また、これらを組み合わせた条件とすることができる。
【００８７】
画像抽出部２１３は、第１及び第２の実施の形態と同様に、画像取得部２１１により取得した画像から条件取得部２１２により取得した撮影可能条件を満たす画像を抽出する。
【００８８】
出力部２１４は、画像抽出部２１３により抽出した画像を出力する。例えば、写真プリント装置２０の表示部２５に注文可能に表示したり、ユーザからの注文操作に応じてプリンタ７で写真８を印刷したりする。
【００８９】
第３の実施の形態の貸出処理及び撮影処理は、第１の実施の形態の貸出処理（図４）及び撮影処理（図５）と同様である。また、ユーザがオペレータにカメラ３を返却した後、ユーザが写真プリント装置２０を操作すると、写真プリント装置２０が図６のステップＳ３０２〜ステップＳ３０７の処理を実行する。
【００９０】
すなわち、ユーザが借りているカメラ３、メモリカード３１、及びタグ４を返却窓口で返却すると（図６のステップＳ３０１）、メモリカード３１とタグ４がユーザに渡される。ユーザは、写真プリント装置２０の元へ出向き、写真プリント装置２０を操作する。まず、読取装置６にタグ４をかざしてタグ４に記録されている貸出情報を読み取る（ステップＳ３０２）。写真プリント装置２０の制御部２１（条件取得部１１２）は読み取った貸出情報から撮影可能条件を取得する（ステップＳ３０３）。
【００９１】
次に、ユーザは写真プリント装置２０のメモリカードスロットにメモリカード３１を挿入する。写真プリント装置２０の制御部２１（画像取得部２１１）は、メモリカード３１から撮影画像を取得する（ステップＳ３０４）。制御部２１（画像抽出部２１３）は、ステップＳ３０４で取得した撮影画像からステップＳ３０３で取得した撮影可能条件を満たす画像を抽出する（ステップＳ３０５）。ステップＳ３０５の抽出処理は第１及び第２の実施の形態と同様である。
【００９２】
写真プリント装置２０の制御部２１（出力部２１４）は、ステップＳ３０４で抽出した画像を注文受付画面の形態で表示部２５に表示する（ステップＳ３０６）。ユーザは表示部２５（注文受付画面）に表示された画像を確認して、写真プリントの注文を行う。制御部２１は、ユーザにより注文された画像をプリンタ７に送信し、必要な枚数だけプリントアウトする（ステップＳ３０７）。その後、ユーザは、タグ４及びメモリカード３１を返却窓口に返却する。なお、カメラの返却もこのタイミングで行うものとしてもよい。
【００９３】
以上の処理により、第１及び第２の実施の形態と同様に、撮影条件を満たさずに撮影された画像はステップＳ３０５の処理で抽出されず、出力されないこととなる。第３の実施の形態では、第１及び第２の実施の形態の効果に加え、カメラ返却後の写真注文をオペレータを介さずに、ユーザ自身が写真プリント装置２０を操作して行うことができる。
【００９４】
［第４の実施の形態］
次に、本発明の第４の実施の形態について説明する。
図１５は第４の実施の形態に係る撮影制御システム１Ｃであり、画像の出力処理を行う撮影制御システム１Ｃの構成を示している。図１５に示すように、第４の実施の形態の撮影制御システム１Ｃでは、第３の実施の形態と同様に、画像を出力する際、オペレータが存在する貸出受付端末２を利用せず、ユーザが写真プリント装置２０を操作して写真８の出力を行う。なお、カメラ貸出時には、第２の実施の形態と同様に、貸出受付端末２でカメラ３及びタグ４の貸出が行わるものとする（図４の貸出処理）。また、カメラ３で撮影された画像は第２の実施の形態と同様に、サーバ９に保存されるものとする（図１０のアップロード処理）。すなわち、第４の実施の形態と第３の実施の形態との違いは、カメラ３で撮影された画像をメモリカード３１ではなくサーバ９に保存し、写真プリント装置２０はサーバ９から画像を取得することである。
【００９５】
第４の実施の形態の写真プリント装置２０は、第３の実施の形態の写真プリント装置２０と同様の構成である（図１３）。但し、第４の実施の形態において、写真プリント装置２０はネットワーク１０を介してサーバ９に接続されている。サーバ９には、第２の実施の形態と同様に、撮影画像のアップロード処理（図１０）によりカメラ３で撮影した画像がアップロードされ、カメラＩＤと紐づけて画像データベース（サーバ９の記憶部９２またはサーバ９からアクセス可能な大容量記憶装置等）に記憶されている。
【００９６】
次に、図１６を参照して第４の実施の形態の撮影制御システム１Ｃにおける写真プリント装置２０の機能構成について説明する。図１６に示すように、写真プリント装置２０は、画像取得部２１１、条件取得部２１２、画像抽出部２１３、及び出力部２１４を備える。第３の実施の形態の写真プリント装置２０の機能構成（図１４）との違いは、画像取得部２１１は、サーバ９からカメラで撮影した画像を取得する点である。第４の実施の形態では、上述したようにカメラ３で撮影した画像はカメラ３の通信機能によりサーバ９に送信され、サーバ９の画像データベース（サーバ９の記憶部９２やサーバ９からアクセス可能な大容量記憶装置等）に記憶される。画像取得部２１１は、ネットワーク１０を介してサーバ９にアクセスし、サーバ９からカメラ３で撮影した画像を取得（ダウンロード）する。
【００９７】
条件取得部２１２、画像抽出部２１３、出力部２１４については、第１乃至第３の実施の形態の条件取得部２１２、画像抽出部２１３、出力部２１４と同様である。
【００９８】
次に、本発明の第４の実施の形態における処理の流れを説明する。第４の実施の形態の貸出時の処理は、第１の実施の形態の貸出処理（図４）と同様であり。また、第４の実施の形態における撮影処理は、第２の実施の形態の撮影画像のアップロード処理（図１０）と同様である。また、ユーザがオペレータにカメラ３を返却した後、ユーザが写真プリント装置２０を操作すると、写真プリント装置２０及びサーバ９が図１１のステップＳ５０２〜ステップＳ５０９の処理を実行する。
【００９９】
すなわち、ユーザが借りているカメラ３及びタグ４を返却窓口で返却すると（図１１のステップＳ５０１）、タグ４がユーザに渡される。ユーザは、写真プリント装置２０の元へ出向き、写真プリント装置２０を操作する。まず、読取装置６にタグをかざしてタグ４に記録されている貸出情報を読み取る（ステップＳ５０２）。写真プリント装置２０の制御部２１（条件取得部１１２）は読み取った貸出情報から撮影可能条件を取得する（ステップＳ５０３）。
【０１００】
次に、写真プリント装置２０は、当該カメラ３で撮影した画像の取得（ダウンロード）をサーバ９に要求する（ステップＳ５０４）。ステップＳ５０４では、写真プリント装置２０の制御部２１は、カメラ３のカメラＩＤとともに撮影画像のダウンロード要求を送信する。
【０１０１】
サーバ９は、写真プリント装置２０から画像のダウンロード要求を受信すると、該当する撮影画像を画像データベース（サーバ９の記憶部９２またはサーバ９からアクセス可能な大容量記憶装置等）から読み出し、要求元の写真プリント装置２０に送信する（ステップＳ５０５）。写真プリント装置２０はサーバ９から撮影画像を受信する（ステップＳ５０６）。
【０１０２】
次に、写真プリント装置２０の制御部２１（画像抽出部２１３）は、ステップＳ５０６で受信した撮影画像からステップＳ５０３で取得した撮影可能条件を満たす画像を抽出する（ステップＳ５０７）。ステップＳ５０７の処理は、第１の実施の形態のステップＳ３０５と同様に、撮影画像の付加情報や画像解析処理等により撮影画像が撮影可能条件を満たしているか否かを判断する。
【０１０３】
その後、写真プリント装置２０の制御部２１（出力部２１４）は、ステップＳ５０７で抽出した画像を表示部２５に表示する（ステップＳ５０８）。ユーザは表示部２５に表示された画像を確認して、写真プリントの申し込みを行う。写真プリント装置２０の制御部２１は、ユーザから申し込まれた注文に応じて画像をプリンタ７に送信し、必要な枚数だけプリントアウトする（ステップＳ５０９）。ステップＳ５０８、ステップＳ５０９の処理は、第１の実施の形態のステップＳ３０６、ステップＳ３０７と同様である。その後、ユーザは、タグ４を返却窓口に返却する。なお、カメラの返却もこのタイミングで行うものとしてもよい。
【０１０４】
以上の処理により、第４の実施の形態の撮影制御システム１Ｃでは、第１乃至第３の実施の形態と同様に、撮影条件を満たさずに撮影された画像はステップＳ５０７の処理で抽出されず、出力されないこととなる。第４の実施の形態では、カメラ３で撮影された画像はサーバ９に画像が保存されるため、メモリカード３１を使用せず紛失のおそれが無い。なお、撮影可能条件を満たさずに撮影された画像については、第１乃至第３の実施の形態と同様に、例えば透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。第４の実施の形態では、第１及び第２の実施の形態の効果に加え、返却後の写真注文をオペレータを介さずに、ユーザ自身で写真プリント装置２０を操作して行うことができる。
【０１０５】
［第５の実施の形態］
次に、本発明の第５の実施の形態について説明する。
図１７は第５の実施の形態に係る撮影制御システム１Ｄの構成を示している。図１７に示すように、第５の実施の形態の撮影制御システム１Ｄは、貸出受付端末２及び貸出用のカメラ３を備えて構成される。貸出受付端末２には、モニタ５及びプリンタ７等の周辺機器が接続される。また、カメラ３は撮影画像を記憶するメモリカード３１とともに貸し出されるものとする。第５の実施形態と第１の実施の形態との違いは、第５の実施の形態の撮影制御システム１Ｄでは、タグ４及び読取装置６を使用せず、貸出情報を貸出受付端末２のＢの記憶部２２から取得することである。
【０１０６】
第５の実施の形態の貸出受付端末２Ｂの構成を図１８に示す。図１８に示すように、貸出受付端末２Ｂは、制御部２１、記憶部２２、通信部２３、入力部２４、表示部２５、周辺機器Ｉ／Ｆ部２６等をバス２７で接続して構成したコンピュータにより実現できる。但し、貸出受付端末２Ｂの構成はこれに限ることなく、適宜様々な構成をとることができる。制御部２１、記憶部２２、通信部２３、入力部２４、表示部２５、周辺機器Ｉ／Ｆ部２６の構成は、第１の実施の形態の貸出受付端末２の制御部２１、記憶部２２、通信部２３、入力部２４、表示部２５、周辺機器Ｉ／Ｆ部２６の構成と同様である。第５の実施の形態において、貸出受付端末２の周辺機器Ｉ／Ｆ部２６には、モニタ５及びプリンタ７が接続される（読取装置６は接続されない）。モニタ５及びプリンタ７は、第１の実施の形態のモニタ５及びプリンタ７と同様の構成である。
【０１０７】
次に図１９を参照して第５の実施の形態の撮影制御システム１Ｄにおける貸出受付端末２Ｂの機能構成について説明する。
貸出受付端末２Ｂは、画像取得部２１１、条件取得部２１２、画像抽出部２１３、及び出力部２１４を備える。また、貸出受付端末２の記憶部２２には、貸出情報２２１が記憶されている。貸出情報２２１は貸出処理においてオペレータにより入力される。貸出情報２２１は、カメラＩＤと撮影可能条件等が含まれる。すなわち、第１から第４の実施の形態では、タグ４に貸出情報２２１を記録してカメラ３とともに貸出しや返却を行うこととしているが、第５の実施の形態では、貸出処理において貸出受付端末２Ｂの記憶部２２に貸出情報２２１が保存される。
【０１０８】
画像取得部２１１は、カメラ３で撮影した画像を取得する。第５の実施の形態では、カメラ３で撮影した画像はメモリカード３１に記憶されるものとする。画像取得部２１１は、メモリカード３１からカメラ３で撮影した画像を取得する。
【０１０９】
条件取得部２１２は、貸し出したカメラ３での撮影可能条件を取得する。第５の実施の形態では、上記撮影可能条件は貸出受付端末２Ｂの記憶部２２に記憶されているものとし、条件取得部２１２は、記憶部２２からカメラ３のカメラＩＤに該当する撮影可能条件を読み出す。条件取得部２１２が撮影可能条件を取得するタイミングは、例えば、ユーザがカメラ３を返却する際とする。
【０１１０】
なお、撮影可能条件は、第１から第４の実施の形態と同様に、時間に関する条件、イベントに関する条件、または場所に関する条件等を含む。また、これらを組み合わせた条件とすることができる。
【０１１１】
画像抽出部２１３は、画像取得部２１１により取得した画像から条件取得部２１２により取得した撮影可能条件を満たす画像を抽出する。画像を抽出する方法は、第１から第４の実施の形態と同様に、例えば、カメラ３により撮影された画像に記録されている付加情報（Ｅｘｉｆ等）に基づいて該画像が撮影可能条件を満たす画像であるか否かを判断する方法や、カメラ３により撮影された画像が撮影可能条件を満たす画像であるか否かを画像解析処理により判断する方法等を用いることができる。
【０１１２】
出力部２１４は、第１及び第２の実施の形態と同様に、画像抽出部２１３により抽出した画像を出力する。出力形態は、例えば、モニタ５への表示やプリンタ７から写真８として印刷すること等が含まれる。
【０１１３】
次に、図２０、図２１を参照して本発明の第５の実施の形態における処理の流れを説明する。貸出受付端末２Ｂの制御部２１は、ＲＯＭまたは記憶部２２に記憶されているプログラムを読み出して実行することにより、以下に示す各処理を実現する。
【０１１４】
まず、カメラ３をユーザに貸し出す際に実行する貸出処理について図２０を参照して説明する。
ユーザが貸出受付端末２Ｂのオペレータにカメラ３の貸し出しを申し込む（ステップＳ６０１）。貸し出しの申し込みは、カメラ３を貸出す直前に行われるものとしてもよいし、事前にインターネットや電話等を介して申し込みの予約が行われるものとしてもよい。
【０１１５】
貸し出しの申し込みが行われると、オペレータは、貸出受付端末２Ｂを用いてユーザの登録処理を行うとともに、撮影可能条件を含む貸出情報２２１を記憶部２２に記憶する（ステップＳ６０２）。ユーザの登録処理では、例えば、ユーザの氏名、生年月日、住所や電話番号等の連絡先等の登録、及びユーザＩＤの発行等が行われる。また、記憶部２２に記憶される貸出情報２２１には、ユーザが希望する撮影時間帯、イベント、または場所等の条件、或いは撮影不可とする時間帯、イベント、または場所等の条件が記録される他、ユーザＩＤ、貸出日、貸し出すカメラ３の識別情報（カメラＩＤ）等も含まれる。貸出情報２２１として、例えば、カメラＩＤ「１２３４」、撮影可能条件「撮影可能時間：１４：００〜１５：００」、ユーザＩＤ「ｕ０００５４３」等が記憶部２２に記憶される。
【０１１６】
ユーザにカメラ３を貸し出す際、オペレータは貸出処理を行う（ステップＳ６０３）。貸出処理では、ユーザの本人確認や貸し出すカメラ３のカメラＩＤの確認、撮影可能条件と返却日時の確認等をオペレータがユーザとともに行う。その後、オペレータは、カメラ３及びカメラ３のメモリカード３１をユーザに貸し出す。なお、ユーザが自分のカメラを持参している場合は受付でユーザのカメラを預かるか、ユーザのカメラで撮影が行われないように対策を施すものとする。
【０１１７】
カメラ３の撮影処理については、第１の実施の形態と同様である（図５）。すなわち、ユーザは、借りたカメラ３を用いて撮影を行うことができる（図５のステップＳ２０１）。例えば、撮影可能条件として「撮影可能時間：１４：００〜１５：００」が設定されている場合でもその時間帯以外に撮影が行われてしまってもよい。第５の実施の形態では、カメラ３は撮影画像をメモリカード３１に保存する（ステップＳ２０２）。
【０１１８】
次に、図２１を参照してカメラ返却時の処理について説明する。ユーザがカメラ３及びメモリカード３１を返却すると（ステップＳ７０１）、オペレータは、貸出受付端末２Ｂの記憶部２２から返却されたカメラ３のカメラＩＤに該当する貸出情報２２１を読み取る（ステップＳ７０２）。貸出受付端末２Ｂの制御部２１（条件取得部１１２）は読み取った貸出情報２２１から撮影可能条件を取得する（ステップＳ７０３）。ステップＳ７０３において、オペレータの確認用として、貸出受付端末２は、読み取った貸出情報２２１を表示部２５に表示するようにしてもよい。
【０１１９】
次に、オペレータが貸出受付端末２のメモリカードスロットにメモリカードを挿入すると、貸出受付端末２Ｂの制御部２１（画像取得部２１１）はカメラ３のメモリカード３１から撮影画像を取得する（ステップＳ７０４）。制御部２１（画像抽出部２１３）は、ステップＳ７０４で取得した撮影画像からステップＳ７０３で取得した撮影可能条件を満たす画像を抽出する（ステップＳ７０５）。ステップＳ７０５の処理は、第１の実施の形態のステップＳ３０５（図６）の処理と同様である。ステップＳ７０５の処理により、ステップＳ７０４で取得した撮影画像のうち撮影可能条件を満たさずに撮影された画像は抽出されないこととなる。
【０１２０】
貸出受付端末２Ｂの制御部２１（出力部２１４）は、ステップＳ７０５で抽出した画像を表示部２５に表示するとともに、モニタ５に表示する（ステップＳ７０６）。ユーザはモニタ５に表示された画像を確認して、写真プリントの申し込みを行う。オペレータは、ユーザにより申し込まれた注文に応じて画像をプリンタ７に送信し、必要な枚数だけプリントアウトする（ステップＳ７０７）。なお、写真プリントの申し込み及びプリントアウトは、オペレータの操作ではなく、ユーザの操作で行うものとしてもよい。例えば、モニタ５としてタッチパネル式のモニタを用い、抽出画像を表示する。このとき、モニタ５はプリントする画像や画像枚数の入力を受け付ける。ユーザの操作により画像が選択されプリント指示が入力されると、モニタ５から入力されたプリント指示が貸出受付端末２Ｂの制御部２１に入力される。制御部２１は、プリンタ７に対して写真のプリント指示を送り写真をプリントさせる。
【０１２１】
以上の処理により、撮影可能条件を満たさずに撮影された画像はステップＳ７０５の処理により抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。なお、撮影可能条件を満たさずに撮影された画像については、例えば、透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。また、第５の実施の形態では、タグ４に貸出情報２２１を記録するのではなく貸出受付端末２Ｂの記憶部２２に記憶しておくため、第１乃至第４の実施の形態のようにタグ４や読取装置６を用意する必要が無く、装置構成を簡素にすることができる。またタグ４の紛失により貸出情報２２１（撮影可能条件）が不明になることを防ぐことも可能となる。
【０１２２】
［第６の実施の形態］
次に、本発明の第６の実施の形態について説明する。
図２２は第６の実施の形態に係る撮影制御システム１Ｅの全体構成を示す図である。図２２に示すように、第６の実施の形態の撮影制御システム１Ｅは、貸出受付端末２Ｂ、貸出用のカメラ３、及びサーバ９等がネットワーク１０を介して通信接続されて構成される。貸出受付端末２Ｂには、モニタ５及びプリンタ７等の周辺機器が接続される。第５の実施の形態ではタグ４を使用しないため、第２の実施の形態とは異なり、読取装置６が省かれている。また、貸出用カメラ３を貸し出す際にも、タグ４やメモリカード３１等の付属品を必要としない。第５の実施の形態の撮影制御システム１Ｄとの違いは、カメラ３で撮影された画像はメモリカード３１ではなくサーバ９に送信されてサーバ９の画像データベース（サーバ９の記憶部９２またはサーバ９からアクセス可能な大容量記憶装置等）に記憶されることである。
【０１２３】
第６の実施の形態の貸出受付端末２Ｂ、カメラ３、モニタ５、プリンタ７の構成は第５の実施の形態の貸出受付端末２、カメラ３、モニタ５、プリンタ７と同様である。また、サーバ９及びネットワーク１０の構成は、第２の実施の形態のサーバ９及びネットワーク１０と同様である（図８）。
【０１２４】
次に、図２３を参照して第６の実施の形態の撮影制御システム１Ｅにおける貸出受付端末２Ｂの機能構成について説明する。
貸出受付端末２Ｂは、画像取得部２１１、条件取得部２１２、画像抽出部２１３、及び出力部２１４を備える。また、第５の実施の形態と同様に、貸出受付端末２Ｂの記憶部２２には、貸出情報２２１が記憶されている。貸出情報２２１は貸出処理においてオペレータにより入力される。貸出情報２２１は、カメラＩＤと撮影可能条件等が含まれる。
【０１２５】
第５の実施の形態の貸出受付端末２Ｂの機能構成（図１９）との違いは、画像取得部２１１は、サーバ９からカメラ３で撮影した画像を取得する点である。第６の実施の形態では、カメラ３で撮影した画像はカメラ３の通信機能によりサーバ９に送信され、サーバ９の画像データベース（サーバ９の記憶部９２やサーバ９からアクセス可能な大容量記憶装置等）に記憶される。画像取得部２１１は、ネットワーク１０を介してサーバ９にアクセスし、サーバ９からカメラ３で撮影した画像を取得する。
【０１２６】
条件取得部２１２、画像抽出部２１３、及び出力部２１４については第５の実施の形態と同様である。
【０１２７】
次に、図２４を参照して本発明の第６の実施の形態における返却処理の流れを説明する。貸出受付端末２Ｂの制御部２１及びサーバ９の制御部９１は、ＲＯＭまたは記憶部２２、９２に記憶されているプログラムを読み出して実行することにより、以下に示す処理を実現する。
【０１２８】
なお、カメラ３をユーザに貸し出す際に実行する貸出処理については、第５の実施の形態（図２０）と同様であり、カメラにおける撮影画像のアップロード処理については第２の実施の形態（図１０）と同様であるため、説明を省略する。
【０１２９】
第６の実施の形態では、ユーザがカメラ３を返却すると（ステップＳ８０１）、オペレータは、貸出受付端末２Ｂの記憶部２２から返却されたカメラ３に該当する貸出情報２２１を読み取る（ステップＳ８０２）。貸出受付端末２Ｂの制御部２１（条件取得部１１２）は読み取った貸出情報２２１から撮影可能条件を取得する（ステップＳ８０３）。ステップＳ８０３において、オペレータの確認用として、制御部２１は読み取った貸出情報２２１を表示部２５に表示するようにしてもよい。
【０１３０】
次に、貸出受付端末２Ｂの制御部２１（画像取得部２１１）は、当該カメラ３で撮影した画像の取得（ダウンロード）をサーバ９に要求する（ステップＳ８０４）。ステップＳ８０４では、貸出受付端末２Ｂの制御部２１は、カメラ３のカメラＩＤとともに撮影画像のダウンロード要求を送信する。
【０１３１】
サーバ９は、貸出受付端末２Ｂから画像のダウンロード要求を受信すると、該当する撮影画像を画像データベース（サーバ９の記憶部９２またはサーバ９からアクセス可能な大容量記憶装置等）から読み出し、要求元の貸出受付端末２Ｂに送信する（ステップＳ８０５）。貸出受付端末２Ｂはサーバ９から撮影画像を受信する（ステップＳ８０６）。
【０１３２】
次に、貸出受付端末２Ｂの制御部２１（画像抽出部２１３）は、ステップＳ８０６で受信した撮影画像からステップＳ８０３で取得した撮影可能条件を満たす画像を抽出する（ステップＳ８０７）。ステップＳ８０７の処理は、第１の実施の形態のステップＳ３０５と同様に、撮影画像の付加情報や画像解析処理等により撮影画像が撮影可能条件を満たしているか否かを判断する。
【０１３３】
その後、貸出受付端末２Ｂの制御部２１（出力部２１４）は、ステップＳ８０７で抽出した画像を表示部２５に表示するとともにモニタ５に表示する（ステップＳ８０８）。ユーザはモニタ５に表示された画像を確認して、写真プリントの申し込みを行う。オペレータは、ユーザから申し込まれた注文に応じて画像をプリンタ７に送信し、必要な枚数だけプリントアウトする（ステップＳ８０９）。ステップＳ８０８、ステップＳ８０９の処理は、第１の実施の形態のステップＳ３０６、ステップＳ３０７と同様である。
【０１３４】
以上の処理により、第６の実施の形態の撮影制御システム１Ｅでは、第１乃至第５の実施の形態と同様に、撮影可能条件を満たさずに撮影された画像はステップＳ８０７の処理により抽出されず、出力されないこととなる。第６の実施の形態では、カメラ３で撮影された画像はサーバ９に画像が保存されるため、メモリカード３１を使用せず紛失のおそれが無い。また、タグ４及び読取装置６も使用しないため、装置構成を簡素にすることできる。またタグ４の紛失により貸出情報２２１（撮影可能条件）が不明になることを防ぐことも可能となる。
【０１３５】
なお、撮影可能条件を満たさずに撮影された画像については、第１の実施の形態と同様に、例えば透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。
【０１３６】
［第７の実施の形態］
次に、本発明の第７の実施の形態について説明する。
図２５は第７の実施の形態に係る撮影制御システム１Ｆの構成を示している。図２５に示すように、第７の実施の形態の撮影制御システム１Ｆでは、ユーザがカメラ３を借りる際に、受付でカメラＩＤ等が記載された貸出票３３が渡される。カメラ返却後は、オペレータが存在する貸出受付端末２Ｂを利用せず、ユーザが写真プリント装置２０Ａを操作して、写真８の出力を行う。なお、カメラ貸出時には、第５の実施の形態と同様に、貸出受付端末２Ｂでカメラ３とメモリカード３１の貸出が行われているものとする（図２０）。また、カメラ３で撮影された画像は第１、第３、第５の実施の形態と同様に、メモリカード３１に保存されるものとする（図５の撮影処理）。
【０１３７】
写真プリント装置２０Ａは、第３の実施の形態の写真プリント装置２０と同様に、写真等の注文入力及び印刷を行う装置である。
写真プリント装置２０Ａは、メモリカードスロットを有し、メモリカード３１から画像を取得し、取得した画像の注文画面をタッチパネル式表示部２５に表示し、ユーザの操作による写真８の注文を受け付ける。写真プリント装置２０Ａは、ユーザの操作による注文内容に従って写真８の印刷を行い、印刷物取出し口から排出する。
第３の実施の形態の写真プリント装置２０との違いは、読取装置６を備えず、写真プリント装置２０Ａの記憶部２２に貸出情報２２１が記憶される点である。
【０１３８】
図２６に第７の実施の形態の写真プリント装置２０Ａの構成を示す。
図２６に示すように、写真プリント装置２０Ａは、制御部２１、記憶部２２、通信部２３、入力部２４、表示部２５、周辺機器Ｉ／Ｆ部２６、課金部２８、及びプリンタ７等をバス２７により接続して構成される。第３の実施の形態の写真プリント装置２０（図１３）とは異なり周辺機器Ｉ／Ｆ部２６に読取装置６が接続されていない。但し、写真プリント装置２０Ａの構成はこれに限ることなく、適宜様々な構成をとることができる。
【０１３９】
写真プリント装置２０Ａの制御部２１、記憶部２２、通信部２３、入力部２４、表示部２５、周辺機器Ｉ／Ｆ部２６の構成は、貸出受付端末２の制御部２１、記憶部２２、通信部２３、入力部２４、表示部２５、及び周辺機器Ｉ／Ｆ部２６の構成と同様である。また、写真プリント装置２０Ａの課金部２８やプリンタ７の構成は、第３の実施の形態の写真プリント装置２０（図１３）の課金部２８やプリンタ７と同様であるため重複する説明を省略する。
【０１４０】
次に、図２７を参照して第７の実施の形態の撮影制御システム１Ｆにおける写真プリント装置２０Ａの機能構成について説明する。図２７に示すように、写真プリント装置２０Ａは、画像取得部２１１、条件取得部２１２、画像抽出部２１３、及び出力部２１４を備える。また、写真プリント装置２０Ａの記憶部２２には、第５及び第６の実施の形態の貸出受付端末２Ｂの記憶部２２（図２３）と同様に、貸出情報２２１が記憶されている。
【０１４１】
画像取得部２１１、画像抽出部２１３、出力部２１４については第５の実施の形態と同様である。
【０１４２】
条件取得部２１２は、貸し出したカメラ３での撮影可能条件を取得する。第７の実施の形態では、上記撮影可能条件（貸出情報２２１）は貸出処理において貸出受付端末２Ｂの記憶部２２に、カメラ３の貸出時に記憶されるとともに、サーバ９に送信されてサーバ９の記憶部９２に記憶されるものとする。サーバ９の記憶部９２に記憶されたデータ（貸出情報２２１）は、ただちに写真プリント装置２０Ａに送信され、写真プリント装置２０Ａの記憶部２２に記憶される。
【０１４３】
写真プリント装置２０Ａはユーザにより入力部２４を介してカメラＩＤの入力を受け付ける。ユーザはカメラ３を借りた際に受付で受け取った貸出票３３に記載されたカメラＩＤを入力部２４に入力する。すると、条件取得部２１２は、入力されたカメラＩＤに該当する貸出情報２２１を記憶部２２から取得し、撮影可能条件を読み出す。
【０１４４】
なお、撮影可能条件は、第１乃至第６の実施の形態と同様に、時間に関する条件、イベントに関する条件、または場所に関する条件等を含む。また、これらを組み合わせた条件とすることができる。
【０１４５】
画像抽出部２１３は、画像取得部２１１により取得した画像から条件取得部２１２により取得した撮影可能条件を満たす画像を抽出する。画像を抽出する方法は、第１乃至第６の実施の形態と同様に、例えば、カメラ３により撮影された画像に記録されている付加情報（Ｅｘｉｆ等）に基づいて該画像が撮影可能条件を満たす画像であるか否かを判断する方法や、カメラ３により撮影された画像が撮影可能条件を満たす画像であるか否かを画像処理により判断する方法等を用いることができる。
【０１４６】
出力部２１４は、第３及び第４の実施の形態と同様に、画像抽出部２１３により抽出した画像を出力する。出力形態は、例えば、表示部２５への表示やプリンタ７から写真８として印刷すること等が含まれる。
【０１４７】
次に、図２８、図２９を参照して本発明の第７の実施の形態における処理の流れを説明する。
まず貸出処理について図２８を参照して説明する。
ユーザは貸出受付端末２Ｂのオペレータにカメラ３の貸し出しを申し込む（ステップＳ９０１）。貸し出しの申し込みは、カメラ３を貸出す直前に行われるものとしてもよいし、事前にインターネットや電話等を介して申し込みの予約が行われるものとしてもよい。
【０１４８】
貸し出しの申し込みが行われると、オペレータは、貸出受付端末２Ｂを用いてユーザの登録処理を行うとともに、撮影可能条件を含む貸出情報２２１を貸出受付端末２Ｂの記憶部２２に記憶する（ステップＳ９０２）。ユーザの登録処理では、例えば、ユーザの氏名、生年月日、住所や電話番号等の連絡先等の登録、及びユーザＩＤの発行等が行われる。また、記憶部２２に記憶される貸出情報２２１には、撮影可能な時間帯、イベント、または場所等の条件、或いは撮影不可とする時間帯、イベント、または場所等の条件が記録される他、ユーザＩＤ、貸出日時、貸し出すカメラ３の識別情報（カメラＩＤ）等も含まれる。例えば、カメラＩＤ「１２３４」、撮影可能条件「撮影可能時間：１４：００〜１５：００」、ユーザＩＤ「ｕ０００５４３」等が貸出情報２２１として記憶部２２に記憶される。
【０１４９】
貸出受付端末２Ｂは記憶部２２に記憶された貸出情報２２１をサーバ９に送信する（ステップＳ９０３）。サーバ９は、貸出情報２２１を受信し、記憶部９２に記憶する（ステップＳ９０４）とともに、貸出情報２２１を写真プリント装置２０Ａに送信する（ステップＳ９０５）。写真プリント装置２０Ａは、サーバ９から貸出情報２２１を受信し、記憶部２２に記憶する（ステップＳ９０６）。
【０１５０】
貸出受付端末２Ｂは、カメラＩＤを記した貸出票３３を発行する。オペレータは貸出票３３をユーザに渡す（ステップＳ９０７）。
【０１５１】
ユーザにカメラを貸し出す際、オペレータは貸出処理を行う（ステップＳ９０８）。貸出処理では、ユーザの本人確認や貸し出すカメラ３のカメラＩＤの確認、撮影可能条件と返却日時の確認等をオペレータがユーザとともに行う。その後、オペレータは、カメラ３及びカメラ３のメモリカード３１をユーザに貸し出すとともに貸出票３３を渡す。なお、ユーザが自分のカメラを持参している場合は受付でユーザのカメラを預かるか、ユーザのカメラで撮影が行われないように対策を施すものとする。
【０１５２】
カメラ３での撮影処理については、第１の実施の形態と同様である（図５）。すなわち、ユーザは、借りたカメラ３を用いて撮影を行うことができる（図５のステップＳ２０１）。例えば、撮影可能条件として「撮影可能時間：１４：００〜１５：００」が設定されている場合でもその時間帯以外に撮影が行われてしまってもよい。第１の実施の形態では、カメラ３は撮影画像をメモリカード３１に保存する（ステップＳ２０２）。
【０１５３】
次に、図２９を参照してカメラ返却後の処理について説明する。ユーザはカメラ３を返却した後、貸出票３３とメモリカード３１を持って写真プリント装置２０Ａで写真の出力を行う。写真プリント装置２０Ａは、図２８のフローチャートのステップＳ９０３〜ステップＳ９０６の処理によりサーバ９から各カメラの貸出情報２２１をダウンロードし、記憶部２２に記憶している（ステップＳ１００１）。
【０１５４】
ユーザはカメラを返却した後（ステップＳ１００２）、写真プリント装置２０Ａへ出向き、貸出票３３に記載されたカメラＩＤを入力部２４を介して写真プリント装置２０Ａに入力する（ステップＳ１００３）。写真プリント装置２０Ａの制御部２１（条件取得部２１２）は、入力されたカメラＩＤに該当する貸出情報２２１を記憶部２２から読み出し、読み出した貸出情報２２１から撮影可能条件を取得する（ステップＳ１００４）。
【０１５５】
次に、写真プリント装置２０Ａの制御部２１（画像取得部２１１）は、カメラ３のメモリカード３１から撮影画像を取得する（ステップＳ１００５）。写真プリント装置２０Ａの制御部２１（画像抽出部２１３）は、ステップＳ１００５で取得した撮影画像からステップＳ１００４で取得した撮影可能条件を満たす画像を抽出する（ステップＳ１００６）。
ステップＳ１００６の処理は、第１の実施の形態のステップＳ３０５（図６）の処理と同様である。ステップＳ１００６の処理により、撮影可能条件を満たさずに撮影された画像は抽出されないこととなる。
【０１５６】
写真プリント装置２０Ａの制御部２１（出力部２１４）は、ステップＳ１００６で抽出した画像を表示部２５に表示する（ステップＳ１００７）。ユーザは表示部２５に表示された画像を確認して、写真プリントの申し込みを行う。写真プリント装置２０Ａの制御部２１は、ユーザからの申し込みに応じた画像をプリンタ７に送信し、必要な枚数だけプリントアウトする（ステップＳ１００８）。
【０１５７】
以上の処理により、第７の実施の形態の撮影制御システム１Ｆでは、第１乃至第６の実施の形態と同様に、撮影条件を満たさずに撮影された画像はステップＳ１００６の処理で抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。なお、撮影可能条件を満たさずに撮影された画像については、閲覧のみ可能とするようにしてもよい。また、課金すると画像の閲覧やプリントを行える等、オプションとして設定可能としてもよい。また、第７の実施の形態では、タグ４に貸出情報２２１を記録するのではなく写真プリント装置２０Ａの記憶部２２に各カメラ３の貸出情報２２１を記憶しておくため、第１乃至第４の実施の形態のようにタグ４や読取装置６を用意する必要が無く、装置構成を簡素にすることができる。またタグ４の紛失により貸出情報（撮影可能条件）が不明になることを防ぐことも可能となる。また、カメラ返却後の写真注文をオペレータを介さずにユーザ自身で写真プリント装置２０Ａを操作して行うことができる。
【０１５８】
［第８の実施の形態］
次に、本発明の第８の実施の形態について説明する。
図３０は第８の実施の形態に係る撮影制御システム１Ｇの全体構成を示す図である。図３０に示すように、第８の実施の形態の撮影制御システム１Ｇは、貸出受付端末２Ｂ、貸出用のカメラ３、サーバ９、写真プリント装置２０Ａ等がネットワーク１０を介して通信接続されて構成される。図３０に示すように、第８の実施の形態の撮影制御システム１Ｇでは、ユーザがカメラ３を借りる際に、受付でカメラＩＤ等が記載された貸出票３３が渡される。カメラ返却後は、オペレータが存在する貸出受付端末２Ｂを利用せず、ユーザが写真プリント装置２０Ａを操作して、写真８の出力を行う。なお、カメラ貸出時には、第６の実施の形態と同様に、タグ４やメモリカード３１等の付属品を必要としない。タグ４を使用しないため、タグ４の読取装置６も省かれている。第７の実施の形態の撮影制御システム１Ｆとの違いは、第８の実施の形態の撮影制御システム１Ｇでは、カメラ３で撮影された画像はメモリカード３１ではなくサーバ９に送信されてサーバ９の記憶部９２に記憶されることである。
【０１５９】
第８の実施の形態の写真プリント装置２０Ａは、第７の実施の形態の写真プリント装置２０Ａと同様の構成である（図２６）。但し、第８の実施の形態において、写真プリント装置２０Ａはネットワーク１０を介してサーバ９に接続されている。サーバ９には、第２の実施の形態と同様に、撮影画像のアップロード処理（図１０）によりカメラ３で撮影した画像がアップロードされ、カメラＩＤと紐づけて画像データベース（サーバ９の記憶部９２またはサーバ９からアクセス可能な大容量記憶装置等）に記憶されている。
【０１６０】
次に、図３１を参照して第８の実施の形態の撮影制御システム１Ｇにおける写真プリント装置２０Ａの機能構成について説明する。図３１に示すように、写真プリント装置２０Ａは、画像取得部２１１、条件取得部２１２、画像抽出部２１３、及び出力部２１４を備える。また、写真プリント装置２０Ａの記憶部２２には、第５乃至第７の実施の形態と同様に、貸出情報２２１が記憶されている。
【０１６１】
画像取得部２１１、画像抽出部２１３、出力部２１４については第６の実施の形態の画像取得部２１１、画像抽出部２１３、出力部２１４と同様である。画像取得部２１１はサーバ９から撮影画像を取得する。
【０１６２】
条件取得部２１２は、貸し出したカメラ３での撮影可能条件を取得する。第８の実施の形態では、上記撮影可能条件は貸出処理において貸出受付端末２Ｂの記憶部２２に貸出時に記憶されるとともに、サーバ９に送信されてサーバ９の記憶部９２に記憶されるものとする。サーバ９の記憶部９２に記憶されたデータ（貸出情報２２１）は写真プリント装置２０Ａに送信され、写真プリント装置２０Ａの記憶部２２に記憶される。
【０１６３】
写真プリント装置２０Ａは入力部２４を介してカメラＩＤの入力を受け付ける。ユーザはカメラ３を借りた際に受付で受け取った貸出票３３に記載されたカメラＩＤを写真プリント装置２０Ａの入力部２４に入力する。すると、条件取得部２１２は、入力されたカメラＩＤに該当する貸出情報２２１を記憶部２２から取得し、撮影可能条件を読み出す。
【０１６４】
なお、撮影可能条件は、第１乃至第７の実施の形態と同様に、時間に関する条件、イベントに関する条件、または場所に関する条件等を含む。また、これらを組み合わせた条件とすることができる。
【０１６５】
画像抽出部２１３は、画像取得部２１１により取得した画像から条件取得部２１２により取得した撮影可能条件を満たす画像を抽出する。画像を抽出する方法は、第１乃至第７の実施の形態と同様に、例えば、カメラ３により撮影された画像に記録されている付加情報（Ｅｘｉｆ等）に基づいて該画像が撮影可能条件を満たす画像であるか否かを判断する方法や、カメラ３により撮影された画像が撮影可能条件を満たす画像であるか否かを画像解析処理により判断する方法等を用いることができる。
【０１６６】
出力部２１４は、第３、第４、及び第７の実施の形態と同様に、画像抽出部２１３により抽出した画像を出力する。出力形態は、例えば、表示部２５への表示やプリンタ７から写真８として印刷すること等が含まれる。
【０１６７】
次に、本発明の第８の実施の形態における処理の流れを説明する。なお、貸出処理については第７の実施の形態（図２８）と同様であるため説明を省略する。また、カメラ３での撮影された画像のアップロード処理は第２、第４、第６の実施の形態と同様であり（図１０）、撮影された画像は、サーバ９の画像データベース（サーバ９の記憶部９２またはサーバ９からアクセス可能な大容量記憶装置等）に記憶される。
【０１６８】
次に、図３２を参照してカメラ返却後の処理について説明する。ユーザはカメラ３を返却した後、貸出票３３を持って写真プリント装置２０Ａで写真の出力を行う。写真プリント装置２０Ａは、図２８のフローチャートのステップＳ９０３〜ステップＳ９０６の処理によりサーバ９から各カメラの貸出情報２２１をダウンロードし、記憶部２２に記憶している（ステップＳ１１０１、ステップＳ１１０２）。
【０１６９】
ユーザはカメラ３を返却した後（ステップＳ１１０３）、写真プリント装置２０Ａへ出向き、貸出票３３に記載されたカメラＩＤを入力部２４を介して写真プリント装置２０Ａに入力する（ステップＳ１１０４）。写真プリント装置２０Ａの制御部２１（条件取得部２１２）は、入力されたカメラＩＤに該当する貸出情報２２１を記憶部２２から読み出し、読み出した貸出情報２２１から撮影可能条件を取得する（ステップＳ１１０５）。
【０１７０】
次に、写真プリント装置２０Ａの制御部２１（画像取得部２１１）は、サーバ９に対し撮影画像のダウンロードを要求する（ステップＳ１１０６）。ステップＳ１１０６において、写真プリント装置２０ＡはステップＳ１１０４で入力されたカメラＩＤとともに撮影画像のダウンロード要求をサーバ９に送信する。サーバ９は、写真プリント装置２０Ａから送信されたダウンロード要求に応答して該当する撮影画像を記憶部９２（またはサーバ９からアクセス可能な大容量記憶装置）から読み出し、要求元の写真プリント装置２０Ａに送信する（ステップＳ１１０７）。
【０１７１】
サーバ９から撮影画像を受信すると（ステップＳ１１０８）、写真プリント装置２０Ａの制御部２１（画像抽出部２１３）は、受信した撮影画像からステップＳ１１０５で取得した撮影可能条件を満たす画像を抽出する（ステップＳ１１０９）。ステップＳ１１０９の処理は、第１の実施の形態のステップＳ３０５（図６）の処理と同様である。ステップＳ１１０９の処理により、撮影可能条件を満たさずに撮影された画像は抽出されないこととなる。
【０１７２】
写真プリント装置２０Ａの制御部２１は、ステップＳ１１０９で抽出した画像を表示部２５に表示する（ステップＳ１１１０）。ユーザは表示部２５に表示された画像を確認して、写真プリントの申し込みを行う。写真プリント装置２０Ａの制御部２１は、ユーザからの申し込みに応じた画像をプリンタ７に送信し、必要な枚数だけプリントアウトする（ステップＳ１１１１）。
【０１７３】
以上の処理により、第８の実施の形態の撮影制御システム１Ｇでは、第１乃至第７の実施の形態と同様に、撮影条件を満たさずに撮影された画像はステップＳ１１０９の処理で抽出されず、出力されないこととなる。したがって、イベント等の運営者は、ユーザによる撮影を可能としつつ、撮影可能条件を満たさずに撮影された画像の出力を排除することができ、撮影の管理を効率よく行うことが可能となる。なお、撮影可能条件を満たさずに撮影された画像については、第１の実施の形態と同様に、例えば透かしが入った状態で表示させたり、表示不可のマークを表示させたりしてもよい。または閲覧のみ可能としてもよいし、閲覧不可（非表示）としてもよい。また、追加の課金をすると画像の閲覧やプリントを行える等、運営者がオプションを設定可能な構成としてもよい。また、第８の実施の形態では、タグ４に貸出情報２２１を記録するのではなく写真プリント装置２０Ａの記憶部２２に貸出情報２２１を記憶しておくためタグ４や読取装置６を用意する必要が無く、第１乃至第４の実施の形態と比較して装置構成を簡素にすることができる。またタグ４の紛失により貸出情報２２１（撮影可能条件）が不明になることを防ぐことも可能となる。また、カメラ３で撮影した画像もサーバ９に保存するため、メモリカード３１の貸出を行う必要が無く、メモリカード３１の紛失を防ぐことが可能となる。カメラ返却後の写真注文もオペレータを介さずにユーザ自身で写真プリント装置２０Ａを操作して行うことができる。
【０１７４】
［第９の実施の形態］
次に、本発明の第９の実施の形態について説明する。
第９の実施の形態の撮影制御システム１Ｈは、第１乃至第８の実施の形態と異なり、カメラ３での撮影を撮影制御信号によって制御する。
【０１７５】
図３３は第９の実施の形態の撮影制御システム１Ｈの全体構成を示す図である。図３３に示すように、第９の実施の形態の撮影制御システム１Ｈは、貸出受付端末２Ｃ、貸出用のカメラ３、及びサーバ９がネットワーク１０を介して通信接続されて構成される。貸出受付端末２Ｃには、モニタ５、プリンタ７、及び撮影制御信号を発信する発信器１２等の周辺機器が接続される。また、貸出用のカメラ３は撮影画像を記憶するメモリカード３１とともに貸し出されるものとする。
【０１７６】
貸出受付端末２Ｃは、カメラ３の貸出処理や撮影画像の出力処理を行うために使用されるコンピュータであり、第１の実施の形態の貸出受付端末２と同様に、例えば制御部２１、記憶部２２、通信部２３、入力部２４、表示部２５、及び周辺機器Ｉ／Ｆ（インターフェース）部２６等をバス２７により接続して構成したコンピュータにより実現できる。なお、周辺機器Ｉ／Ｆ部２６には、モニタ５、プリンタ７、及び発信器１２が接続されるものとする。但し、貸出受付端末２Ｃの構成はこれに限ることなく、適宜様々な構成をとることができる。
【０１７７】
カメラ３は、ユーザに貸し出されるデジタルカメラであり、例えばＣＣＤイメージセンサやＣＭＯＳイメージセンサなどの撮像素子を用いたカメラである。カメラ３により撮影された画像は、カメラ３とともに貸し出されるメモリカード３１に記憶される。或いは、カメラ３の通信機能を利用してネットワーク１０を介してサーバ９にアップロードし、サーバ９の画像データベース等に撮影画像を記憶してもよい（図７、図１５参照）。また、カメラ３は撮影制御信号１３を受信する受信器３１１を備えるものとする（図３４）。
【０１７８】
サーバ９は、制御部９１、記憶部９２、通信部９３、入力部９４、及び表示部９５等をバス９６により接続して構成したコンピュータにより実現できる（図８）。サーバ９は、カメラ３から撮影画像及びカメラＩＤを受信すると、受信した撮影画像をカメラＩＤと紐づけて画像データベース（サーバ９の記憶部９２またはサーバ９からアクセス可能な大容量記憶装置等）に記憶する。
【０１７９】
ネットワーク１０は、ＬＡＮや、より広域に通信接続されたＷＡＮ、またはインターネット等の公衆の通信回線、基地局等を含む。ネットワーク１０は有線、無線を問わない。
【０１８０】
発信器１２は、貸出受付端末２Ｃにより生成される撮影制御信号を発信する発信器である。発信器１２は、例えば、Wi-FiルータやBluetooth（登録商標）信号を発信するビーコン等を用いることができる。
【０１８１】
次に、図３４を参照して第９の実施の形態の撮影制御システム１Ｈにおける貸出受付端末２Ｃ及びカメラ３の機能構成について説明する。
第９の実施の形態の貸出受付端末２Ｃは、図３４に示すように、貸出情報登録部２１５、撮影可否信号生成部２１６、撮影可否信号送信制御部２１７、画像取得部２１１、及び出力部２１４等を備える。
【０１８２】
貸出情報登録部２１５は、カメラ３を貸し出す際に、貸出情報を記憶部２２に登録（記憶）する。貸出情報は、少なくともカメラＩＤ及び撮影可能条件が貸し出すユーザのユーザＩＤと紐づけられた情報である。
【０１８３】
撮影可否信号生成部２１６は、貸し出したカメラ３での撮影可能条件に応じた撮影の可否を示す信号である撮影制御信号を生成し、送信させる。撮影可能条件は、時間、イベント、または場所に関する条件を含む。又はこれらを組み合わせた条件としてもよい。具体的には、例えば「カメラＩＤ「ｃ３５７９」のカメラは「１５：００〜１６：００」の時間帯は撮影可能」という条件が設定されている場合、撮影可否信号生成部２１６は、カメラＩＤ「ｃ３５７９」のカメラに対する撮影可能信号を生成し、１５：００〜１６：００の間、その撮影可能信号を送信するよう撮影可否信号送信制御部２１７に対して通知する。撮影可否信号送信制御部２１７は、撮影可否信号生成部２１６により生成された撮影制御信号を通知された時間帯に送信するよう制御する。これにより、発信器１２は所定のカメラ３に対し所定時間帯に撮影制御信号を送信できる。
【０１８４】
また、例えば「カメラＩＤ「ｃ３５７９」のカメラは「１５：００〜１６：００」のイベントで撮影可能」という条件が設定されている場合も同様に、撮影可否信号生成部２１６は、カメラＩＤ「ｃ３５７９」のカメラに対する撮影可能信号を生成し、１５：００〜１６：００の間、その撮影可能信号を送信するよう撮影可否信号送信制御部２１７に対して通知する。撮影可否信号送信制御部２１７は、撮影可否信号生成部２１６により生成された撮影制御信号を通知された時間帯に送信するよう発信器１２を制御する。これにより、発信器１２は所定のカメラ３に対し所定イベントにおいて撮影制御信号を送信できる。
【０１８５】
また、例えば「カメラＩＤ「ｃ３５７９」のカメラは、エリアＡで撮影可能」という条件が設定されている場合、撮影可否信号生成部２１６は、カメラＩＤ「ｃ３５７９」のカメラに対する撮影可能信号を生成し、エリアＡに信号を送信する発信器１２で撮影可能信号を送信するよう撮影可否信号送信制御部２１７に対して通知する。撮影可否信号送信制御部２１７は、撮影可否信号生成部２１６により生成された撮影制御信号を通知されたエリアに送信するよう発信器１２を制御する。これにより、発信器１２は所定のカメラ３に対し所定エリアに撮影制御信号を送信できる。
【０１８６】
なお、場所と時間、または場所とイベントを組み合わせた撮影可能条件を設定することも可能である。また、撮影可否信号生成部２１６及び撮影可否信号送信制御部２１７は、撮影を可能とする撮影可能信号に代えて、所定の時間帯や所定の場所で撮影できないように制御する撮影不可信号を生成し、発信するようにしてもよい。撮影可能信号と撮影不可信号を併せて撮影制御信号または撮影可否信号と呼ぶものとする。
【０１８７】
また、撮影可否信号生成部２１６は、イベントまたはエリアに固有の撮影制御信号を生成し、そのイベントの間または所定のエリアにおいてイベント固有またはエリア固有の撮影制御信号を送信するようにしてもよい。この場合は、カメラ３はイベント固有またはエリア固有の撮影制御信号に対応する情報を記憶しており、どの撮影制御信号を受信したかによって撮影の可否を判断する。
【０１８８】
画像取得部２１１は、カメラ３で撮影した画像を取得する。カメラ３で撮影した画像がメモリカード３１に記憶されている場合は、画像取得部２１１は、メモリカード３１からカメラ３で撮影した画像を取得する。また、カメラ３で撮影した画像がカメラ３の通信機能によりサーバ９に送信され、サーバ９の記憶部９２やサーバ９からアクセス可能な大容量記憶装置等に記憶される場合は、画像取得部２１１は、ネットワーク１０を介してサーバ９にアクセスし、サーバ９からカメラ３で撮影した画像を取得する。
【０１８９】
出力部２１４は、画像取得部２１１で取得した画像を出力する。出力形態は、例えば、モニタ５への表示やプリンタ７から写真８として印刷すること等が含まれる。第１から第８の実施の形態と異なり、画像取得部２１１で取得した画像は全て出力できる。これは、カメラ３での撮影が撮影制御信号により制御されているため、撮影された画像は、すべて撮影可能条件を満たしており、撮影可能条件を満たさない画像がないためである。
【０１９０】
第９の実施の形態のカメラ３は、図３４に示すように、受信器３１１、撮影可否制御部３１２、及び撮影部３１３を備える。
受信器３１１は、発信器１２に対応する受信器であり、発信器１２から発信される撮影制御信号（撮影可能信号または撮影不可信号）を受信する。
【０１９１】
撮影可否制御部３１２は、受信器３１１により受信した撮影制御信号に基づいて撮影可であるか撮影不可であるかを判断する。撮影可の場合は、撮影部３１３に対し撮影を許可する制御信号を送信し、撮影部３１３に対し撮影を不許可とする制御信号を送信する。
【０１９２】
撮影部３１３は、撮影可否制御部３１２から送信された制御信号に従って撮影を実行する。
【０１９３】
次に、図３５〜図３７を参照して本発明の第９の実施の形態における処理の流れを説明する。貸出受付端末２Ｃの制御部２１は、ＲＯＭまたは記憶部２２に記憶されているプログラムを読み出して実行することにより、以下に示す各処理を実現する。
【０１９４】
まず、カメラ３をユーザに貸し出す際に実行する貸出処理について図３５を参照して説明する。
【０１９５】
ユーザが貸出受付端末２Ｃのオペレータにカメラ３の貸し出しを申し込む（ステップＳ１２０１）。貸し出しの申し込みは、カメラ３を貸出す直前に行われるものとしてもよいし、事前にインターネットや電話等を介して申し込みの予約が行われるものとしてもよい。
【０１９６】
貸し出しの申し込みが行われると、オペレータは、貸出受付端末２Ｃを用いてユーザの登録処理を行うとともに、撮影可能条件を含む貸出情報を記憶部２２に記録する（ステップＳ１２０２）。ユーザの登録処理では、例えば、ユーザの氏名、生年月日、住所や電話番号等の連絡先等の登録、及びユーザＩＤの発行等が行われる。また、記憶部２２に記録される貸出情報には、撮影可能な時間帯、イベント、または場所等の条件、或いは撮影不可とする時間帯、イベント、または場所等の条件が記録される他、ユーザＩＤ、貸出日時、貸し出すカメラ３の識別情報（カメラＩＤ）等も含まれる。例えば、カメラＩＤ「１２３４」、撮影可能条件「撮影可能時間：１４：００〜１５：００」、ユーザＩＤ「ｕ０００５４３」等が貸出情報として記憶部２２に記憶される。
【０１９７】
ユーザにカメラ３を貸し出す際、オペレータは貸出処理を行う（ステップＳ１２０３）。貸出処理では、ユーザの本人確認や貸し出すカメラ３のカメラＩＤの確認、撮影可能条件と返却日時の確認等をオペレータがユーザとともに行う。その後、オペレータは、カメラ３及びカメラ３のメモリカード３１をユーザに貸し出す。サーバ９に撮影画像を保存する場合は、メモリカード３１の貸出は不要である。なお、ユーザが自分のカメラを持参している場合は受付でユーザのカメラを預かるか、ユーザのカメラで撮影が行われないように対策を施すものとする。
【０１９８】
貸出受付端末２Ｃは、撮影可能条件に応じた撮影制御信号を生成し、所定時間、所定イベント、または所定場所にて発信器１２から撮影制御信号を送信するよう制御する（ステップＳ１２０４）。
【０１９９】
次に、図３６のフローチャートに示す処理について説明する。
ユーザは、借りたカメラ３を用いて撮影を行うことができる。カメラ３は、電源が「ＯＮ」にセットされると、発信器１２から発信される撮影制御信号を受信器３１１により受信する（ステップＳ１３０１）。カメラ３の制御部は受信器３１１により受信した撮影制御信号が撮影可能を示すものであるか否かを判定する（ステップＳ１３０２）。撮影可である場合は（ステップＳ１３０２；撮影可）、カメラ３の制御部２１は撮影を許可し、ユーザの操作に従って撮影を行う（ステップＳ１３０３）。カメラ３の制御部は、撮影画像をメモリカード３１に保存するか、通信部を介してサーバ９に送信しサーバ９の記憶部２２またはサーバ９からアクセス可能な大容量記憶装置に保存する（ステップＳ１３０４）。
【０２００】
次に、図３７を参照して返却処理について説明する。ユーザがカメラ３、及びメモリカード３１（サーバ９に画像が記憶される場合はメモリカード３１は不要）を返却すると（ステップＳ１４０１）、オペレータは、貸出受付端末２Ｃを用いてカメラ３のメモリカード３１から撮影画像を取得する。メモリカード３１を貸し出していない場合は、貸出受付端末２Ｃはサーバ９にアクセスし、撮影画像をダウンロードする（ステップＳ１４０２）。
【０２０１】
貸出受付端末２Ｃは、ステップＳ１４０２で取得した撮影画像を表示部２５に表示するとともに、モニタ５に表示する（ステップＳ１４０３）。ユーザはモニタ５に表示された画像を確認して、写真プリントの申し込みを行う。オペレータは、ユーザにより申し込みのあった画像をプリンタ７に送信し、必要な枚数だけプリントアウトする（ステップＳ１４０４）。なお、写真プリントの申し込み及びプリントアウトは、オペレータの操作ではなく、ユーザの操作で行うものとしてもよい。例えば、モニタ５としてタッチパネル式のモニタを用い、画像を表示するとともにプリントする画像や画像枚数の入力を受け付ける。ユーザの操作により画像が選択されプリント指示が入力されると、モニタ５から入力されたプリント指示が貸出受付端末２Ｃの制御部２１に入力され、制御部２１は、プリンタ７に対して写真のプリント指示を送り写真をプリントさせる。
【０２０２】
以上の処理により、第９の実施の形態の撮影制御システム１Ｈでは、撮影制御信号により貸し出したカメラ３での撮影を制御するため、撮影可能条件外での撮影が行われることがない。したがって、イベント等の運営者は、撮影可能条件を必ず満たすようにユーザによる撮影を制御できるため、撮影の管理を効率よく行うことが可能となる。
【０２０３】
［第１０の実施の形態］
次に、本発明の第１０の実施の形態について説明する。
図３８は第１０の実施の形態に係る撮影制御システム１Ｊの構成を示している。図３８に示すように、第１０の実施の形態の撮影制御システム１Ｊは、貸出受付端末２Ｄ、貸出用カメラ３、サーバ９、及び写真プリント装置２０Ｂがネットワーク１０を介して通信接続されて構成される。貸出受付端末２Ｄには、撮影制御信号１３を発信する発信器１２が接続されている。
【０２０４】
第１０の実施の形態の撮影制御システム１Ｊでは、カメラ返却時にオペレータが存在する貸出受付端末２Ｄを利用せず、ユーザが写真プリント装置２０Ｂを操作して、写真８の出力を行う。なお、カメラ貸出時には、第９の実施の形態と同様に、貸出受付端末２Ｄでカメラ３及びメモリカード３１（サーバ９に画像を保存する場合はメモリカード３１は不要）の貸出が行われているものとする（図３３）。また、カメラ３で撮影された画像も第９の実施の形態と同様に、メモリカード３１またはサーバ９に保存されるものとする。
【０２０５】
写真プリント装置２０Ｂは、写真等の注文入力及び印刷を行う装置である。写真プリント装置２０Ｂは、メモリカードスロットを有し、メモリカード３１から画像を取得する。または、写真プリント装置２０Ｂはネットワーク１０を介してサーバ９に接続され、画像データベース（サーバ９の記憶部９２またはサーバ９からアクセス可能な大容量記憶装置等）にカメラＩＤと紐づけて記憶されている画像を取得する。写真プリント装置２０Ｂは、取得した画像の注文画面をタッチパネル式表示部２５に表示し、ユーザの操作による写真８の注文を受け付ける。写真プリント装置２０Ｂは、ユーザの操作による注文内容に従って写真８の印刷を行い、印刷物取出し口から排出する。
【０２０６】
次に、図３９を参照して第１０の実施の形態の撮影制御システム１Ｊにおける貸出受付端末２Ｄ、写真プリント装置２０Ｂ、及びカメラ３の機能構成について説明する。
第１０の実施の形態の貸出受付端末２Ｄは、図３９に示すように、貸出情報登録部２１５、撮影可否信号生成部２１６、撮影可否信号送信制御部２１７を備える。写真プリント装置２０Ｂは、画像取得部２１１及び出力部２１４等を備える。カメラ３は、第９の実施の形態と同様に、受信器３１１、撮影可否制御部３１２、及び撮影部３１３を備える。
【０２０７】
貸出受付端末２Ｄの貸出情報登録部２１５、撮影可否信号生成部２１６、撮影可否信号送信制御部２１７は、第９の実施の形態の貸出受付端末２Ｃの貸出情報登録部２１５、撮影可否信号生成部２１６、撮影可否信号送信制御部２１７と同様であるため、重複する説明を省略する。また、写真プリント装置２０Ｂの画像取得部２１１及び出力部２１４は、第９の実施の形態の貸出受付端末２Ｃにおける画像取得部２１１及び出力部２１４と同様である。但し、出力部２１４の出力形態は、プリンタ７からの写真印刷または表示部２５への表示とする。
【０２０８】
次に、第１０の実施の形態の撮影制御システム１Ｊにおける処理の流れについて説明する。
【０２０９】
カメラ３の貸出処理は、第９の実施の形態の貸出処理（図３５）と同様である。すなわち、ユーザが貸出受付端末２Ｄのオペレータにカメラ３の貸し出しを申し込む（ステップＳ１２０１）。貸し出しの申し込みが行われると、オペレータは、貸出受付端末２Ｄを用いてユーザの登録処理を行うとともに、撮影可能条件を含む貸出情報を記憶部２２に記録する（ステップＳ１２０２）。ユーザにカメラを貸し出す際、オペレータは貸出処理を行う（ステップＳ１２０３）。貸出処理では、ユーザの本人確認や貸し出すカメラ３のカメラＩＤの確認、撮影可能条件と返却日時の確認等をオペレータがユーザとともに行う。その後、オペレータは、カメラ３及びカメラ３のメモリカード３１をユーザに貸し出す。サーバ９に撮影画像を保存する場合は、メモリカード３１の貸出は不要である。なお、ユーザが自分のカメラを持参している場合は受付でユーザのカメラを預かるか、ユーザのカメラで撮影が行われないように対策を施すものとする。
【０２１０】
貸出受付端末２Ｄは、撮影可能条件に応じた撮影制御信号を生成し、所定時間、所定イベント、または所定場所にて発信器１２から撮影制御信号を送信するよう制御する（ステップＳ１２０４）。
【０２１１】
カメラ３での撮影処理も第９の実施の形態と同様である（図３６）。すなわち、カメラ３は、電源が「ＯＮ」にセットされると、発信器１２から発信される撮影制御信号１３を受信器３１１により受信する（ステップＳ１３０１）。カメラ３の制御部は受信器３１１により受信した撮影制御信号１３が撮影可能を示すものであるか否かを判定する（ステップＳ１３０２）。撮影可である場合は（ステップＳ１３０２；撮影可）、カメラ３の制御部２１は撮影を許可し、ユーザの操作に従って撮影を行う（ステップＳ１３０３）。カメラの制御部は、撮影画像をメモリカード３１に保存するか、通信部を介してサーバ９に送信しサーバ９の記憶部２２またはサーバ９からアクセス可能な大容量記憶装置に保存する（ステップＳ１３０４）。
【０２１２】
カメラ３での撮影を終えると、ユーザはカメラ３を受付で返却する。メモリカード３１も借りている場合は、ユーザはメモリカード３１を受取り、写真プリント装置２０Ｂのもとへ行き写真プリント装置２０Ｂを操作する。サーバ９に画像を保存している場合は、受付でカメラＩＤが記載された貸出票３３を受け取る。ユーザは貸出票３３を持って写真プリント装置２０Ｂのもとへ行き、写真プリント装置２０Ｂを操作する（図３７のステップＳ１４０１）。
【０２１３】
写真プリント装置２０Ｂでは、ユーザはメモリカードスロットにメモリカード３１を挿入して撮影画像を取得する。または、入力部２４を介して貸出票３３に記載されたカメラＩＤを入力する。すると、制御部２１は、サーバ９にアクセスし、入力されたカメラＩＤに該当する撮影画像をサーバ９からダウンロードする。
【０２１４】
貸出受付端末２Ｄは、ステップＳ１４０２で取得した撮影画像を表示部２５に表示する（ステップＳ１４０３）。ユーザは表示部２５に表示された画像を確認して、写真プリントの申し込みを行う。写真プリント装置２０Ｂの制御部２１はユーザにより申し込みのあった画像をプリンタ７に送信し、必要な枚数だけプリントアウトする（ステップＳ１４０４）。
【０２１５】
以上説明したように、第１０の実施の形態の撮影制御システム１Ｊによれば、第９の実施の形態の撮影制御システム１Ｈと同様に、撮影制御信号によりカメラ３での撮影を制御するため、撮影可能条件外での撮影が行われることがない。したがって、イベント等の運営者は、撮影可能条件を必ず満たすようにユーザによる撮影を制御できるため、撮影の管理を効率よく行うことが可能となる。また、ユーザは写真プリント装置２０Ｂを用いて写真のプリントをユーザ自身で行える。
【０２１６】
なお、第１乃至第１０の実施の形態では、画像の出力方法は、モニタ５や表示部２５への表示、写真８の印刷としたが、これらに限定されない。例えば、撮影画像を用いてフォトブックを作成したり、画像データをユーザの端末（スマートフォンやＰＣ等）にダウンロード可能としてもよい。フォトブックの場合は、ユーザはフォトブック作成アプリを使用するかフォトブック作成用のＷＥＢサイトにログインし、撮影画像（第１乃至第８の実施の形態では撮影可能条件に基づき抽出した画像）を使用して所望のフォトブックデータを作成する。作成されたフォトブックデータに基づいて印刷工場等でフォトブックが印刷され、ユーザの元に届けられる。画像データをダウンロード可能とする場合は、貸出受付端末２、２Ｂ、２Ｃ、２Ｄまたはサーバ９は、観光地アプリ等のサーバや画像サーバに撮影画像のデータをアップロードするとともに認証コード等をユーザに渡し、ユーザは認証コードを使用してそれらのサーバにアクセスして画像のダウンロードを行う。
【０２１７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０２１８】
１、１Ａ〜１Ｊ・・・・・・・・撮影制御システム
２、２Ｂ、２Ｃ、２Ｄ・・・・・貸出受付端末
２０、２０Ａ、２０Ｂ・・・・・写真プリント装置
３・・・・・カメラ
４・・・・・タグ（記憶媒体）
５・・・・・モニタ
６・・・・・読取装置
７・・・・・プリンタ
８・・・・・写真
９・・・・・サーバ
１０・・・・ネットワーク
１２・・・・発信器
１３・・・・撮影制御信号
２１、９１・・・・制御部
２２、９２・・・・記憶部
２３、９３・・・・通信部
２４、９４・・・・入力部
２５、９５・・・・表示部
２６・・・・周辺機器Ｉ／Ｆ部
３１・・・・メモリカード
３３・・・・貸出票
２１１・・・画像取得部
２１２・・・条件取得部
２１３・・・画像抽出部
２１４・・・出力部
２１５・・・貸出情報登録部
２１６・・・撮影可否信号生成部
２１７・・・撮影可否信号送信制御部
２２１・・・貸出情報
３１１・・・受信器
３１２・・・撮影可否制御部
３１３・・・撮影部
【図１】
2020197786.tif 000003
【図２】
2020197786.tif 000004
【図３】
2020197786.tif 000005
【図４】
2020197786.tif 000006
【図５】
2020197786.tif 000007
【図６】
2020197786.tif 000008
【図７】
2020197786.tif 000009
【図８】
2020197786.tif 000010
【図９】
2020197786.tif 000011
【図１０】
2020197786.tif 000012
【図１１】
2020197786.tif 000013
【図１２】
2020197786.tif 000014
【図１３】
2020197786.tif 000015
【図１４】
2020197786.tif 000016
【図１５】
2020197786.tif 000017
【図１６】
2020197786.tif 000018
【図１７】
2020197786.tif 000019
【図１８】
2020197786.tif 000020
【図１９】
2020197786.tif 000021
【図２０】
2020197786.tif 000022
【図２１】
2020197786.tif 000023
【図２２】
2020197786.tif 000024
【図２３】
2020197786.tif 000025
【図２４】
2020197786.tif 000026
【図２５】
2020197786.tif 000027
【図２６】
2020197786.tif 000028
【図２７】
2020197786.tif 000029
【図２８】
2020197786.tif 000030
【図２９】
2020197786.tif 000031
【図３０】
2020197786.tif 000032
【図３１】
2020197786.tif 000033
【図３２】
2020197786.tif 000034
【図３３】
2020197786.tif 000035
【図３４】
2020197786.tif 000036
【図３５】
2020197786.tif 000037
【図３６】
2020197786.tif 000038
【図３７】
2020197786.tif 000039
【図３８】
2020197786.tif 000040
【図３９】
2020197786.tif 000041